(57)【要約】本発明は、視力矯正用のレンズ（１）に関する。レンズ（１）は、人間の眼（２）の表面に直接載置されるように構成される、または人間の眼（２）に埋め込まれるように構成される。レンズ（１）は、裏面（１２）とこの裏面（１２）とは反対の側に向いた前面（１１）とを有する透明な基部要素（１０）と、基部要素（１０）に接続された透明な弾性的に拡張可能な膜（２０）であって、基部要素（１０）の前面（１１）に面する裏面（２２）を備えた膜（２０）と、膜（２０）の曲率調整可能区域（２３）を規定するように膜（２０）の裏面（２２）に接続されたリング部材（３０）とを備える。レンズ（１）は、リング部材（３０）によって画定されたレンズ容積（４１）を膜（２０）の曲率調整可能区域（２３）に隣接して備える。レンズ（１）は、リザーバ容積（４２）を膜（２０）の境界区域（２４）に隣接して備える。２つの容積（４１、４２）に透明な液体（５０）が充填される。リザーバ容積（４２）が圧縮されたときに、膜（２２）の曲率調整可能区域（２３）の曲率が増大してレンズの焦点距離（１）が短くなるようにリザーバ容積（４２）に存在する液体（５０）がレンズ容積（４１）に押し込まれるように、容積（４１、４２）は互いに流体接続される、または流体接続可能である。更に、本発明は、本発明によるコンタクトレンズを製造するための方法に関する。【選択図】なし
2018518700.tif 000002
【特許請求の範囲】
【請求項１】
視力矯正用のレンズ（１）であって、前記レンズ（１）は、人間の眼（２）の表面に直接載置されるように構成される、または人間の眼（２）に埋め込まれるように構成され、前記レンズ（１）は、
‐裏面（１２）と前記裏面（１２）の反対側に向いた前面（１１）とを有する透明な基部要素（１０）と、
‐前記基部要素（１０）に接続された透明な弾性的に拡張可能な膜（２０）であって、前記基部要素（１０）の前記前面（１１）に面する裏面（２２）を備えた膜（２０）と、
‐前記膜（２０）の曲率調整可能区域（２３）を規定するように、前記膜（２０）の前記裏面（２２）に接続されたリング部材（３０）と、
を備え、
‐前記レンズ（１）は、レンズ容積（４１）を前記膜（２０）の前記曲率調整可能区域（２３）に隣接して備え、前記レンズ容積（４１）は前記リング部材（３０）によって画定され、前記レンズ（１）は、リザーバ容積（４２）を前記膜（２０）の境界領域（２４）に隣接して備え、前記２つの容積（４１、４２）は透明な液体（５０）で充填され、
‐前記リザーバ容積（４２）が圧縮されると、前記膜（２２）の前記曲率調整可能区域（２３）の曲率が増大して前記レンズ（１）の焦点距離が短くなるように、前記リザーバ容積（４２）に存在する液体（５０）が前記レンズ容積（４１）に押し込まれるように、前記容積（４１、４２）は互いに流体接続される、または流体接続可能である、レンズ。
【請求項２】
前記レンズ容積（４１）は圧縮されるように構成され、前記レンズ容積（４１）が圧縮されると、前記膜（２２）の前記曲率調整可能区域（２３）の前記曲率が小さくなって前記レンズ（１）の前記焦点距離が長くなるように、前記レンズ容積（４１）に存在する液体（５０）が前記リザーバ容積（４２）に押し込まれることを特徴とする、請求項１に記載のレンズ。
【請求項３】
前記リザーバ容積（４２）は、少なくとも１つの開口部（６０）を介して前記レンズ容積（４１）に流体接続される、または流体接続可能である、ことを特徴とする、請求項１または２に記載のレンズ
【請求項４】
前記少なくとも１つの開口部（６０）は、前記基部要素（１０）の前記前面（１１）に面する前記リング部材（３０）の顔面側（３０ａ）と前記基部要素（１０）とによって規定される周方向間隙であり、特に、前記膜（２０）の前記曲率調整可能区域（２３）が最大の凸状湾曲を呈するとき、前記リング部材（３０）の前記顔面側（３０ａ）は前記基部要素（１０）の前記前面（１１）に接触することを特徴とする、請求項３に記載のレンズ。
【請求項５】
前記リング部材（３０）は前記基部要素（１０）の前記前面（１１）にも接続され、前記少なくとも１つの開口部（６０）は前記リング部材（３０）を貫通して延在する流路であり、特に、前記リング部材（３０）は前記リング部材（３０）を貫通して延在する流路の形態の開口部（６０）を複数備え、前記流路は前記リザーバ容積（４２）を前記レンズ容積（４１）に流体接続することを特徴とする、請求項２または３に記載のレンズ。
【請求項６】
前記リング部材（３０）は前記基部要素（１０）の前記前面（１１）にも接続され、前記少なくとも１つの開口部（６０）は前記リング部材（３０）と前記基部要素（１０）の前記前面（１１）とによって画定された流路であることを特徴とする、請求項２または３に記載のレンズ。
【請求項７】
前記少なくとも１つの開口部（６０）または前記複数の開口部（６０）の寸法は、前記膜（２０）の前記曲率調整可能区域（２３）の曲率の変化をもたらすために、前記リザーバ容積（４２）および／または前記レンズ容積（４１）を圧縮する必要がある期間が瞼のまばたきより長くなるように選択されることを特徴とする、請求項３〜６の何れか一項に記載のレンズ。
【請求項８】
前記リザーバ容積（４２）の、および前記レンズ容積（４１）の、前記少なくとも１つの開口部（６０）の寸法は、前記レンズ（１）が載置されている、または前記レンズ（１）が埋め込まれている、眼（２）の瞼（４）の１回の完全なまばたき中に前記レンズ容積（４１）から前記リザーバ容積（４２）に移動される液体（５０）の合計量がレンズ（１）の屈折力を変化させるために必要な液体（５０）の量より０．２５ジオプタ超、特に０．１ジオプタ超、特に０．０５ジオプタ超、少なくなるように選択されることを特徴とする、請求項３〜７の何れか一項に記載のレンズ。
【請求項９】
前記レンズ容積（４１）は、前記レンズ（１）が前記人間の眼（２）の前記瞳（３）の上に配置されているとき、前記眼（２）の瞼（４）によって、特に前記瞼（４）を完全に閉じることによって、圧縮されるように構成されることを特徴とする、請求項１〜８の何れか一項に記載のレンズ。
【請求項１０】
前記リザーバ容積（４２）は、前記レンズ（１）が前記人間の眼（２）の前記瞳（３）の上に配置されているときに、前記眼（２）の瞼（４）によって圧縮されるように構成され、特に、前記人間が前記瞼（４）を部分的に閉じたときに、前記リザーバ容積（４２）が圧縮されて前記膜（２０）の前記曲率調整可能区域（２３）の曲率が増大するように、前記リザーバ容積（４２）は前記レンズ（１）内に配置されることを特徴とする、請求項１〜９の何れか一項に記載のレンズ。
【請求項１１】
前記リザーバ容積（４２）は、前記膜（２０）によって形成された第１の表面（２００）と前記基部要素（１０）によって形成された第２の表面（１００）とによって画定され、前記表面（２００、１００）は互いに向かい合い、前記表面（２００、１００）は、瞼（４）が前記リザーバ容積（４２）を押していなくても、前記リザーバ容積（４２）の圧縮状態の維持が可能であるように、前記リザーバ容積（４２）の圧縮により接触したときに互いに吸着するように構成されることを特徴とする、請求項１〜１０の何れか一項に記載のレンズ。
【請求項１２】
前記第１の表面（２００）と前記第２の表面（１００）とは、静電吸引、磁気吸引、またはファン・デル・ワールス力によって互いに吸着することを特徴とする、請求項１１に記載のレンズ。
【請求項１３】
前記レンズ（１）は、液体（５０）を前記リザーバ容積（４２）から前記レンズ容積（４１）に押し出すように、前記リザーバ容積（４２）を圧縮するように構成された少なくとも１つのアクチュエータ（７０）を備えることを特徴とする、請求項１〜１２の何れか一項に記載のレンズ。
【請求項１４】
前記リザーバ容積（４２）は、前記膜（２０）によって形成された第１の表面（２００）と前記基部要素（１０）によって形成された第２の表面（１００）とによって画定され、前記２つの表面（２００、１００）は互いに向かい合うことを特徴とする、請求項１〜１３の何れか一項に記載のレンズ。
【請求項１５】
前記アクチュエータ（７０）は、間隙（７４）が電極間に形成されるように、前記第１の表面（２００）に取り付けられた第１の電極（７１）と前記第２の表面（１００）に取り付けられた第２の電極（７２）とを少なくとも備え、前記電極（７１、７２）間の前記間隙（７４）は、前記電極（７１、７２）に印加された電圧によってサイズの調整が可能であり、前記間隙が狭められたときに、液体（５０）が前記リザーバ容積（４２）から前記レンズ容積（４１）に押し込まれ、前記電極（７１、７２）に印加された前記電圧が下がると、前記膜の張力によって液体（５０）が前記レンズ容積（４１）から前記リザーバ容積（４２）に押し戻されることを特徴とする、請求項１３または１４に記載のレンズ。
【請求項１６】
第１および第２の電極（７１、７２）から成る一電極対、または第１および第２の電極（７１、７１ａ、７１ｂ、７１ｃ、７ｄ、７１ｅ、７２）から成る複数の電極対、が形成されるように、前記アクチュエータ（７０）は前記第１の表面（２００）に取り付けられた１つまたは複数の第１の電極（７１、７１ａ、７１ｂ、７１ｃ、７ｄ）と、前記第２の表面（１００）に取り付けられた相当する数の第２の電極（７２）とを備え、各対の電極（７１、７１ａ、７１ｂ、７１ｃ、７１ｄ、７１ｅ、７２）は、前記それぞれの第１および第２の電極（７１、７１ａ、７１ｂ、７１ｃ、７１ｄ、７１ｅ、７２）間に配置された対応する間隙（７４）を画定し、前記対応する間隙（７４）は、前記それぞれの電極対に印加された電圧によって閉鎖可能であり、前記間隙（７４）が閉じられると、液体（５０）が前記リザーバ容積（４２）から前記レンズ容積（４１）に押し込まれるようになっており、前記電極（７１、７１ａ、７１ｂ、７１ｃ、７１ｄ、７１ｅ、７２）のそれぞれの電極対に印加された電圧が下げられるか、または遮断されると、前記それぞれの間隙（７４）は開き、前記膜（２０）の張力によって相当する量の液体（５０）が前記レンズ容積（４１）からリザーバ容積（４２）に戻されることを特徴とする、請求項１３または１４に記載のレンズ。
【請求項１７】
前記少なくとも１つの第１の電極（７１）は前記少なくとも１つの第２の電極（７２）に対して電気的に絶縁される、または各第１の電極（７１、７１ａ、７１ｂ、７１ｃ、７１ｄ、７１ｅ）は前記対応付けられた第２の電極（７２）に対して電気的に絶縁される、ことを特徴とする、請求項１５または１６に記載のレンズ。
【請求項１８】
前記レンズ（１）が眼（２）に対して意図どおりに配置されているとき、前記リザーバ容積（４２）は前記眼（２）の前記瞼（４）に面し、前記瞼（４）が前記レンズ容積（４１）を押圧せず、前記リザーバ容積（４２）のみを押圧するように、前記瞼（４）を部分的に閉じることが可能であるように、前記リザーバ容積（４２）は前記レンズ（１）の境界領域（４２０）に配置されることを特徴とする、請求項１から１７の何れか一項に記載のレンズ。
【請求項１９】
前記リザーバ容積（４２）および前記電極（７１、７１ａ、７１ｂ、７１ｃ、７１ｄ、７１ｅ、７２）に対する瞼（４）の影響を減らすために、前記レンズ（１）が眼（２）に対して意図どおりに配置されているとき、前記リザーバ容積（４２）は前記レンズ容積（４１）に水平方向に隣接して配置されることを特徴とする、請求項１５〜１９の何れか一項に記載のレンズ。
【請求項２０】
前記少なくとも１つのアクチュエータ（７０）は前記リング部材（３０）の周囲に周方向に延在することを特徴とする、請求項１３に記載の、または請求項１３を引用するときの請求項１４〜１９の何れか一項に記載の、レンズ。
【請求項２１】
前記リング部材（３０）は、前記膜（２０）より５倍、特に１０倍、特に５０倍、特に１００倍、特に１０００倍、硬質であることを特徴とする、請求項１〜２０の何れか一項に記載のレンズ。
【請求項２２】
前記リング部材（３０）は、２５μｍより良好な、特に１０μｍより良好な、特に５μｍより良好な、真円度および平坦性を前記リング部材（３０）と前記膜（２０）との間の界面に有することを特徴とする、請求項１〜２１の何れか一項に記載のレンズ。
【請求項２３】
前記レンズ（１）は、前記レンズ（１）を装着している人間の動きを感知するように構成される、および前記人間の事前に定められた動きへの応答として出力信号を供給するように構成されたセンサ（８０）を備え、特に前記動きは前記人間の眼（２）の瞼（４）の動きであることを特徴とする、請求項１３に記載の、または請求項１３を引用するときの請求項１４〜２２の何れか一項に記載の、レンズ。
【請求項２４】
前記センサ（８０）は、感光性要素、圧力感知要素、容量型検知要素、熱センサ、特に抵抗器、のうちの１つであることを特徴とする、請求項２３に記載のレンズ。
【請求項２５】
前記センサ（８０）は前記レンズ（１）の変形を感知するように構成され、前記センサ（８０）は前記アクチュエータ（７０）に組み込まれる、または前記アクチュエータ（７０）によって形成される、またはその複数の部品を備える、ことを特徴とする、請求項２３または２４に記載のレンズ。
【請求項２６】
前記レンズ（１）は、前記センサ（８０）によって供給された前記出力信号への応答として、または外部装置（８１）によって供給された出力信号への応答として、前記少なくとも１つのアクチュエータ（７０）を作動させるように構成された処理ユニット（９０）を更に備え、特に、前記少なくとも１つのアクチュエータ（７０）は、前記電圧が前記少なくとも１つのアクチュエータ（７０）の前記電極（７１、７２）に印加されることによって作動されることを特徴とする、請求項１〜２５の何れか一項に記載のレンズ。
【請求項２７】
前記レンズ（１）は、電気エネルギー源（１１０）、特に電池、を備え、特に、前記電気エネルギー源（１１０）は、誘導充電、特に前記レンズ（１）がソーラセル（１２０）またはフォトダイオード（１２０）を備える場合は光、特に、前記レンズ（１）がペルティエ素子（１３０）を備える場合は熱電効果の使用、特に前記レンズ（１）が前記瞼の動きまたは前記眼の動きを電気エネルギーに変換するための可撓性キャパシタンス（１４０）を備える場合は瞼の動きまたは眼の動きの使用、膜（４３０、４３１）による液体の圧送による逆電気浸透作用の使用、のうちの１つによって充電されるように構成されることを特徴とする、請求項１３〜２６の何れか一項に記載のレンズ。
【請求項２８】
前記表面（２００、１００）は、前記少なくとも１つのアクチュエータ（７０）の圧縮力によって互いに吸着するように構成されることを特徴とする、請求項１２〜２７の何れか一項に記載のレンズ。
【請求項２９】
前記基部要素（１０）の前記裏面（１２）は、前記裏面（１２）が前記眼（２）の前記表面に接触するように前記眼（２）の表面に載置されるように構成される、または前記膜（２０）の前記前面（２１）は、前記前面（２１）が前記眼（２）の前記表面に接触するように前記眼（２）の前記表面に載置されるように構成される、ことを特徴とする、請求項１〜２８の何れか一項に記載のレンズ。
【請求項３０】
前記レンズ（１）が前記人間の前記眼（２）の前記瞳（３）の上に配置されているときに、前記膜（２０）の曲率調整可能区域（２３）の曲率を増大させるために液体をリザーバ容積（４２）からレンズ容積（４１）に送り出すように前記眼（２）の瞼の動きの開始によって前記リザーバ容積（４２）が圧縮可能であるように、前記リザーバ容積（４２）は前記レンズ（１）の上または下半分に位置付けられることを特徴とする、請求項１または２に記載のレンズ。
【請求項３１】
前記リザーバ容積（４２）は、前記レンズ容積（４１）の周囲に沿って延在する少なくとも１つの流路（４３ａ、４３ｂ）を介して前記レンズ容積（４１）に接続可能な少なくとも１つのリザーバ（４２ａ、４２ｂ）によって形成されることを特徴とする、請求項３０に記載のレンズ。
【請求項３２】
前記少なくとも１つの流路（４３ａ、４３ｂ）は、前記レンズ（１）の下半分または上半分に配置された弁（４３）を介して前記レンズ容積（４１）に接続可能であり、特に、前記弁（４３）が前記少なくとも１つのリザーバ（４２ａ、４２ｂ）に面するように、および／または前記レンズ容積（４１）が前記少なくとも１つのリザーバ（４２ａ、４２ｂ）と前記弁（４３）との間に配置されるように、接続可能であることを特徴とする、請求項３１に記載のレンズ。
【請求項３３】
前記少なくとも１つのリザーバ（４２ａ、４２ｂ）は弁（４３０、４３１）を備え、前記少なくとも１つのリザーバは前記弁（４３０、４３１）を介して前記少なくとも１つの流路（４３ａ、４３ｂ）に接続されることを特徴とする、請求項３１に記載のレンズ。
【請求項３４】
前記レンズ（１）は、前記弁（４３）を開閉するためのエネルギーを前記弁（４３）に供給するために、前記弁（４３）に電気的に接続されたエネルギー源（１１０）を備えることを特徴とする、請求項３２または３３に記載のレンズ。
【請求項３５】
前記レンズ（１）は、動き、特に瞼の動き、を検出するために、前記弁（４３）または前記エネルギー源（１１０）に接続されたセンサ（８０）を備え、前記センサ（８０）は、前記動きが前記センサ（８０）によって検出されたときに出力信号を供給するように構成され、かつ、前記弁（４３）を制御するために、特に前記弁（４３）を開閉するために、前記出力信号を前記弁（４３）または前記エネルギー源（１１０）に供給するように構成されることを特徴とする、請求項３４に記載のレンズ。
【請求項３６】
前記弁（４３）は、
−前記少なくとも１つのリザーバの壁を形成する浸透膜（４３０、４３１）を備えた弁であって、前記浸透膜に印加された電圧に応じて前記浸透膜を開いて前記液体（５０）を通過させるように構成された浸透膜（４３０、４３１）を備えた弁（４３）、
−前記弁を開閉するための少なくとも２つの電極を備えた弁（４３）、
−前記弁を開閉するための形状記憶合金または相変化材料から成る部材（４４）を備えた弁（４３）、
−前記弁を開閉するための電磁アクチュエータを備えた弁（４３）、
−磁石を備えた弁（４３）であって、前記弁を開閉するための別の磁石によって動かされるように構成された弁、
のうちの１つであることを特徴とする、請求項３２〜３５の何れか一項に記載のレンズ。
【請求項３７】
前記レンズ（１）は、前記リザーバ容積（４２）を備えたポンプ（１５０）を備え、前記ポンプ（１５０）は、前記リザーバ容積（４２）を覆う前記膜（２０）の一領域（２０ａ）を、前記基部要素（１０）に形成された、前記リザーバ容積（４２）の少なくとも一部を形成する窪み（４２ｃ）に移動させることによって前記リザーバ容積（４２）を空にするように構成されることを特徴とする、請求項１または２に記載のレンズ。
【請求項３８】
前記ポンプ（１５０）は、前記膜（２０）の前記領域（２０ａ）を前記窪み（４２ｃ）に移動させるための力を発生させるように構成され、前記力を発生させるために、前記膜（２０）の前記領域（２０ａ）は可撓性の伸張可能な導電電極（２０ｂ）を形成し、前記基部要素（１０）は少なくとも１つの対向電極（１０ｂ）を形成する、または、前記力を発生させるために、前記ポンプ（１５０）は、特に電流によって、加熱されるように構成された形状記憶合金から形成された部材（４４）を備えることを特徴とする、請求項３７に記載のレンズ。
【請求項３９】
前記リザーバ容積（４２）を前記レンズ容積（４１）に接続する流路（４２ｄ）は、前記リザーバ容積（４２）の前記窪み（４２ｃ）の底部（４２ｆ）の最も低い区域（４２ｅ）に達し、前記流路（４３ｄ）は、前記膜（２０）の前記領域（２０ａ）が前記窪み（４２ｃ）に移動されたときに、自動的に封止されるように構成されることを特徴とする、請求項３７または３８に記載のレンズ。
【請求項４０】
前記流路（４２ｄ）が封止されているとき、前記リザーバ容積（４２）への液体（５０）の再流入が前記流路（４２ｄ）と前記リザーバ容積（４２）とが相交わる箇所（４２ｇ）において阻止されることを特徴とする、請求項３９に記載のレンズ。
【請求項４１】
前記ポンプ（１５０）は、一方では前記膜（２０）の前記電極（２０ｂ）を使用して、他方では前記対向電極（１０ｂ）、および／または前記窪み（４２ｃ）の前記底部（４２ｆ）の中心に配置されて前記対向電極（１０ｂ）によって囲まれた中心電極（１０ｃ）を使用して、または前記部材（４４）を使用して、前記膜（２０）の前記領域（２０ａ）を前記リザーバ容積（４２）の前記窪み（４２ｃ）の前記底部（４２ｆ）の一区域（４２ｅ）に押さえ付けることによって、前記流路（４２ｄ）をその封止状態に維持するように構成されることを特徴とする、請求項３９または４０に記載のレンズ。
【請求項４２】
前記封止された流路（４２ｄ）は、特定の背圧において開き、液体の逆流および前記リザーバ容積の再充填を開始するように構成されることを特徴とする、請求項３９〜４１の何れか一項に記載のレンズ。
【請求項４３】
前記レンズ（１）は、前記リザーバ容積（４２）と前記レンズ容積（４１）との間に流体接続をもたらすための流路（１６０ｄ）を備え、前記レンズ（１）は、前記流路（１６０ｄ）を開閉するための弁（１６０）を備え、前記流路（１６０ｄ）は、前記基部要素（１０）に形成された前記弁（１６０）の窪み（１６０ｃ）を通って延在し、前記窪み（１６０ｃ）は前記膜（２０）の一領域（２０ａ）によって覆われ、前記弁（１６０）は、前記窪み（１６０ｃ）を覆っている前記膜（２０）の一領域（２０ａ）を前記窪み（１６０ｃ）に移動させることによって、前記流路（１６０ｄ）を開くまたは閉塞するように構成されることを特徴とする、請求項１または２に記載のレンズ。
【請求項４４】
前記弁（１６０）は、前記膜（２０）の前記領域（２０ａ）を前記弁（１６０）の前記窪み（１６０ｃ）に移動させるための力を発生させるように構成され、前記力を発生させるために、前記膜（２０）の前記領域（２０ａ）は可撓性の伸張可能な導電電極（２０ｂ）を形成し、前記基部要素（１０）は少なくとも１つの対向電極（２０ｂ）を形成する、または、前記力を発生させるために、前記弁（１６０）は、特に電流によって、加熱されるように構成された形状記憶合金から形成された部材（４４）を備える、ことを特徴とする、請求項４３に記載のレンズ。
【請求項４５】
前記流路（１６０ｄ）は、前記膜（２０）の前記領域（２０ａ）が前記弁（１６０）の前記窪み（１６０ｃ）に移動されたときに、自動的に閉塞されるように構成されることを特徴とする、請求項４３または４４に記載のレンズ。
【請求項４６】
前記流路（１６０ｄ）が閉塞されているとき、前記流路（１６０ｄ）と前記窪み（１６０ｃ）とが相交わる箇所（１６０ｇ）において前記弁の前記窪み（１６０ｃ）への液体（５０）の再流入が阻止されることを特徴とする、請求項４５に記載のレンズ。
【請求項４７】
前記弁（１６０）は、一方では前記膜（２０）の前記電極（２０ｂ）を使用して、他方では、前記対向電極（１０ｂ）、前記窪み（１６０ｃ）の前記底部（１６０ｆ）の前記中心に配置されて前記対向電極（１０ｂ）によって囲まれた中心電極（１０ｃ）、前記流路（１６０ｄ）と前記窪み（１６０ｃ）とが相交わる箇所（１６０ｇ）に沿って延在する第１の封止ライン電極（１０ｄ）、前記流路（１６０ｄ）と前記窪み（１６０ｃ）とが相交わる別の箇所（１６０ｇ）に沿って延在する第２の封止ライン電極（１０ｅ）のうちの１つを使用して、前記膜（２０）の前記領域（２０ａ）を前記弁（１６０）の前記窪み（１６０ｃ）の前記底部（１６０ｆ）の一区域（１６０ｅ、１６０ｇ）に押さえ付けることによって、前記流路（１６０ｄ）をその閉塞状態に維持するように構成され、前記封止ライン電極（１０ｄ、１０ｅ）は間隙（１０ｆ）によって前記中心電極（１０ｃ）から隔てられていることを特徴とする、請求項４５または４６に記載のレンズ。
【請求項４８】
前記弁（１６０）は特定の圧力で開き、前記リザーバ容積（４２）と前記レンズ容積（４１）との間に液体（５０）を通過させるように構成されることを特徴とする、請求項４３〜４７の何れか一項に記載のレンズ。
【請求項４９】
前記膜（２０）またはその少なくとも一領域（２０ａ）は、前記リザーバ容積（４２、４２ａ、４２ｂ）から前記レンズ容積（４１）への、および／または前記レンズ容積から前記リザーバ容積への、液体（５０）の圧送を助けるために、前記レンズ（１）の使用者の瞼または指によって押し下げられるように構成されることを特徴とする、請求項３７〜４８の何れか一項に記載のレンズ。
【請求項５０】
前記リザーバ容積（４２）は前記膜（２０）の双安定領域（２０ａ）によって覆われ、前記領域（２０ａ）は、前記基部要素（１０）に対して第１の安定状態から第２の安定状態に、およびこの逆に、移動可能であり、前記第１の状態において前記リザーバ容積（４２）は前記第２の状態より大きく、前記領域（２０ａ）が前記第１の状態から前記第２の状態に移動されると、液体（５０）が前記リザーバ容積（４２）から前記レンズ容積（４１）に流入し、前記領域（２０ａ）が前記第２の状態から前記第１の状態に移動されると、液体が前記レンズ容積（４１）から前記リザーバ容積（４２）に戻ることを特徴とする、請求項１または２に記載のレンズ。
【請求項５１】
前記レンズ（１）は、液体（５０）を前記レンズ容積（４１）から前記リザーバ容積（４２）に、およびこの逆に、流入させるために、前記リザーバ容積（４２）を前記レンズ容積（４１）に接続する流路（４３）を備えることを特徴とする、請求項５０に記載のレンズ。
【請求項５２】
前記リザーバ容積（４２）は、前記レンズ容積（４１）の周囲に延在するリング形状または円形形状を備えることを特徴とする、請求項５０または５１に記載のレンズ。
【請求項５３】
前記領域（２０ａ）は、十分な圧力が前記領域（２０ａ）の凹状または凸状面に加えられたときに、１つの安定状態からもう１つの安定状態に切り替わるように構成され、前記領域（２０ａ）を１つの状態からもう１つの状態に移動させるために、前記領域（２０ａ）は手動で、特に人間の指または瞼によって、作動されるように構成されることを特徴とする、請求項５０〜５２の何れか一項に記載のレンズ。
【請求項５４】
前記領域（２０ａ）は、前記双安定状態をもたらすための凸状または凹状形状が成形または熱成形を用いて付与されることを特徴とする、請求項５０〜５３の何れか一項に記載のレンズ。
【請求項５５】
前記領域（２０ａ）はエラストマー製である、またはエラストマーを備える、ことを特徴とする、請求項５０〜５４の何れか一項に記載のレンズ。
【請求項５６】
前記領域（２０ａ）または前記膜（２０）の一部は、金属製、またはポリマー製、またはエラストマー製である、あるいは少なくとも２つの材料から成る異種混交構造である、ことを特徴とする、請求項５０〜５５の何れか一項に記載のレンズ。
【請求項５７】
請求項１〜５６の何れか一項に記載のレンズ（１）と、前記レンズ（１）が人間の眼（２）の表面に載置されていないときに前記レンズ（１）を保管するための容器（３００）とを備えたシステムであって、前記容器（３００）は、前記レンズ（１）のエネルギー源（１１０）または電池（１１０）を誘導によって充電するための導電コイル（３０２）を備える、システム。
【請求項５８】
特に請求項１〜５７の何れか一項に記載のレンズ（１）、特にコンタクトレンズ（１）、を製造するための方法であって、
−基部要素（１０）を設けるステップと、
−透明な弾性変形可能な膜（２０）を設けるステップであって、前記膜（２０）は、前記膜（２０）の裏面（２２）に接続された、または組み込まれた、リング部材（３０）を備えた膜（２０）である、ステップと、
−場合によっては、組み立て前に前記膜を扱うために前記膜（２０）を特に安定化させる１つまたはいくつかの犠牲部品から前記膜（２０）を解放するステップと、
−前記基部要素（１０）を前記膜（２０）に接合し、これにより前記レンズ（１）のレンズ容積（４１）とリザーバ容積（４２）とを形成するステップと、
−場合によっては、前記レンズ容積（４１）に透明な液体（５０）を充填する前に、特に、前記膜（２０）の中央光学ゾーンにおける、および／またはアクチュエータ領域（４２）における、および／または流路の複数の領域（４３）における、前記基部要素（１０）と前記膜（２０）との間の接触を回避し易くする複数の犠牲構造から、特に小さなピラーの規則配列から、前記基部要素（１０）を解放するステップと、
−前記レンズ容積（４１）および前記リザーバ容積（４２）に透明な液体（５０）を充填するステップと、
を含む方法。
【請求項５９】
被覆、少なくとも１つの電極（７１、７２）、絶縁層（７３）、吸着防止層のうちの１つが前記膜（２０）および／または前記基部要素（１０）に施される、請求項５８に記載の方法。
【請求項６０】
前記充填は、前記接合の実施後に、拡散および浸透圧を用いて行われることを特徴とする、請求項５８または５９に記載の方法。
【請求項６１】
前記充填は前記接合の前に行われ、前記液体（５０）は、前記膜（２０）によって形成された窪み（５１）に充填され、その後に前記接合が行われ、前記接合の後、前記レンズ容積（４１）および／または前記リザーバ容積（４２）からそこに存在するガス（５３）が除去されることを特徴とする、請求項５８または５９に記載の方法。
【請求項６２】
前記リング部材（３０）はプラズマ接合によって前記変形可能な膜（２０）に接続されることを特徴とする、請求項５８に記載の方法。
【請求項６３】
前記リング部材（３０）は前記膜（２０）の一体部分として形成され、前記リング部材は紫外線の照射によって硬化される、または前記膜は紫外線の照射によって軟化される、ことを特徴とする、請求項５８に記載の方法。
【請求項６４】
前記リング部材（３０）は前記膜（２０）の一体部分として形成され、前記リング部材が成形される型にプライマが塗布され、前記プライマは、前記膜（２０）および一体型リング部材（３０）の成形中に前記リング部材（３０）を化学的に硬化するように設計されることを特徴とする、請求項５８に記載の方法。
【発明の詳細な説明】
【技術分野】
【０００１】
本発明は、調整可能な焦点距離を有するレンズ、特にコンタクトレンズまたは眼内レンズ、に関する。
【０００２】
より具体的には、本発明は、このようなダイナミックレンズの設計ならびに使用および制御方法に関する。本発明は、眼に埋め込まれる眼内レンズまたはコンタクトレンズばかりでなく、さまざまな用途に使用され得る他のレンズにも適用可能である。
【背景技術】
【０００３】
本発明の特定の１つの態様は、電力、特に外部電力、の消費が皆無の、または少ない、作動システムまたは制御システムを採用しながら、液体が充填された膜レンズを使用して優れた光学品質を如何に実現できるかを示す。更に、本発明の一態様は、レンズ用の、特にレンズの制御システム用の、エネルギー源の充電方法に関する。本発明の別の態様は、レンズの屈折力または焦点距離を制御するためのさまざまな方法に関する。更に、使用者からの入力信号の検出方法が説明される。特に、本発明のいくつかの態様は、特に高い光学品質をもたらすために、使用者の眼の屈折および／または調節不全の矯正を可能にする変形可能なコンタクトまたは眼内レンズの具現化を目的とする。更に、本発明の一態様は、対応する瞼の動きによるレンズの屈折力の制御に関し、特に瞼の高速のまばたき動作を、特に（例えば、機械式）低域通過フィルタによって、瞼の屈折力制御動作から切り離すことができる。更に、前記低域通過フィルタの時定数の制御方法を説明する。
【０００４】
特許文献１には、使用者がレンズを装着しているときに本体の中心ゾーンが眼の光軸に位置合わせされるソフトコンタクトレンズが説明されている。１つの実施形態において、このソフトコンタクトレンズは、レンズの下部からその中心軸線まで延在するチャンバを含む。このチャンバは、人間が下を見たときに、流体がリザーバから絞り出されてレンズの光学特性を変化させるように配置されている。
【０００５】
更に、特許文献２には、可変焦点コンタクトレンズが記載されている。このレンズの本体は、第１の半体とその反対側の第２の半体とを有する。この本体は、第１の周面と、その反対側の第２の周面と、対応する焦点距離とを更に有する。このレンズは、圧縮力が第１の周面と第２の周面とに加えられたときに、レンズの焦点距離が圧縮力に比例して変化するように、弾性の第１の材料を含む。レンズ内の非点収差を阻止するように、力をレンズ内に分散させるための力分散構造が配設されている。
【０００６】
更に、特許文献３の流体が充填された調整可能なコンタクトレンズは、一例示的コンタクトレンズを示している。このコンタクトレンズは、このコンタクトレンズを装着している使用者の瞳上に位置付けられるように構成されたレンズチャンバと、レンズチャンバに流体接続されたリザーバと、レンズチャンバとリザーバとの間で流体を前後に移送するように構成されたアクチュエータと、使用者が所定の動きをしたときにこの動きを使用者から感知して制御信号を送信するように構成されたセンサと、センサからの制御信号の受信によりアクチュエータを作動させるように構成されたプロセッサとを含む。
【０００７】
更に、特許文献４には、膜と、この膜のための支持体と、膜と支持体との間の流体と、膜を変形させるためのアクチュエータと、膜に接続された剛性リングとを備えた調整可能な光学レンズが記載されている。剛性リングは、規定された円周を有し、膜を取り囲んでいる。
【先行技術文献】
【特許文献】
【０００８】
【特許文献１】国際公開第２００８１１５２５１号
【特許文献２】国際公開第９８／１４８２０号
【特許文献３】米国特許出願公開第２０１２／０２６８７１２号
【特許文献４】米国特許第８７５５１２４号
【発明の概要】
【０００９】
上記に基づき、本発明の基礎を成す課題は、特に、コンタクトレンズの焦点距離の精密な調整および高い光学品質の達成を可能にする改良されたコンタクトレンズを提供することである。
【００１０】
この課題は、請求項１の特徴を有するコンタクトレンズによって解決される。本発明の複数の好適な実施形態が対応する従属請求項に記載されている、または以下に説明されている。
【００１１】
請求項１によると、焦点距離の調整が可能なレンズは、人間の眼の表面に直接載置される（例えば、前記眼の瞳を覆う）ように構成される、または人間の眼の中に埋め込まれるように構成される。このレンズは、
‐裏面とこの裏面の反対側に向いた前面とを有する透明な基部要素と、
‐前記基部要素に接続された透明な弾性的に拡張可能な膜であって、基部要素の前記前面に面する裏面を備えた膜と、
‐膜の曲率調整可能区域を画定するように膜の前記裏面に接続された、特にリング部材（またはリング構造）と、
を更に備え、
‐レンズは、リング部材によって画定されたレンズ容積を膜の前記曲率調整可能区域に隣接して備え、リザーバ容積を前記膜の境界区域に隣接して備え、前記２つの容積は透明な液体で充填され、
‐前記リザーバ容積が圧縮されたときに、膜の前記曲率調整可能区域の曲率が増大してレンズの焦点距離が短くなるように、リザーバ容積に存在する液体がレンズ容積に押し込まれるように、前記両容積は互いに流体接続される、または流体接続可能である。
【００１２】
一実施形態によると、レンズはコンタクトレンズである。この場合、基部要素の裏面が人間の眼に接触するように、基部要素は眼の表面に直接載置されるように構成され得る。一代替実施形態においては、膜は（膜の裏面とは反対側を向いた膜の前面が）眼に接触するように構成されることも可能である。ここで、入射光は、レンズが載置されている眼に入る前に、最初に基部要素を通過し、次にレンズ容積を通過し、最後に膜（すなわち、曲率調整可能区域）を通過する。
【００１３】
通常、透明な液体は、透明な流体にすることもできる。一部の実施形態において、流体はリザーバ（単数または複数）および／またはリザーバ容積および／またはレンズ容積内に存在し、曲率調整可能区域の曲率を調整するために使用される。ただし、このような流体は、液体、特に透明な液体、にすることもできる。
【００１４】
特に、前記リング部材は、膜の曲率調整可能区域に隣接した、またはその下にある、前記レンズ容積を膜の前記境界区域に隣接した、またはその下にある、リザーバ容積から隔てる。
【００１５】
更に、特に、リング部材は、膜と一体に形成され得る。リング部材は、膜の前記裏面から突出し得る。
【００１６】
特に、膜の前記曲率調整可能区域は、光を通過させるように構成される。曲率調整可能区域は、そこを通過する光を膜の前記区域の現在の曲率に応じて偏向させる。特に、前記曲率調整可能区域は、本発明によるレンズの有効径に相当する。
【００１７】
更に、特に、基部要素は、ベースレンズを形成し得る。更に、特に、基部要素は、膜より硬質である。同様に、リング部材は、レンズの（すなわち、前記曲率調整可能区域の）形状を規定できるように、膜より硬質であることが好ましい。特に、前記リング部材は、円形リング部材である。
【００１８】
更に、本発明によるレンズの一実施形態によると、基部要素の裏面は、人間の眼に完全に接触できるように凹状湾曲を有する。
【００１９】
特に、基部要素は、以下の材料のうちの１つで構成可能である、または以下の材料のうちの１つを含むことができる。
・ガラス、
・エラストマー（例えば、ＴＰＥ、ＬＣＥ、シリコーン、例えば、ＰＤＭＳ、アクリル、ウレタン）を含むポリマー類、
・熱可塑性樹脂（例えば、ＡＢＳ、ＰＡ、ＰＣ、ＰＭＭＡ、ＰＥＴ、ＰＥ、ＰＰ、ＰＳ、ＰＶＣ）および熱硬化性樹脂を含むプラスチック、
・ゲル（例えば、シリコーンヒドロゲル、ポリマコン、またはＬｉｔｅｗａｙ社の光学ゲルＯＧ−１００１）。
【００２０】
特に、膜は、以下の材料のうちの１つで構成可能である、または以下の材料のうちの１つを含むことができる。
・ガラス、
・エラストマー（例えば、ＴＰＥ、ＬＣＥ、シリコーン、例えば、ＰＤＭＳ、アクリル、ウレタン）を含むポリマー、
・熱可塑性樹脂（例えば、ＡＢＳ、ＰＡ、ＰＣ、ＰＭＭＡ、ＰＥＴ、ＰＥ、ＰＰ、ＰＳ、ＰＶＣ）および熱硬化性樹脂を含むプラスチック、
・ゲル（例えば、シリコーンヒドロゲル、ポリマコン、またはＬｉｔｅｗａｙ社の光学ゲルＯＧ−１００１）。
【００２１】
更に、特に、液体は、以下の物質、フッ素化シリコーン、水、イオン性液体、イオン性ゲル、シリコーン、コンタクトレンズ洗浄溶液、塩水溶液、油、溶剤、のうちの１つにする、または１つを含む、ことができる。
【００２２】
本発明の一実施形態によると、レンズ容積は、圧縮されるように構成される。この場合、レンズ容積が圧縮されると、膜の前記曲率調整可能区域の曲率が小さくなってレンズの焦点距離が長くなるように、レンズ容積に存在する液体は前記リザーバ容積に押し込まれる。
【００２３】
本発明の一実施形態によると、前記リザーバ容積は、少なくとも１つの開口部を介してレンズ容積に流体接続される、または流体接続可能である。流体接続されるとは、レンズ容積からリザーバ容積に、およびこの逆に、液体が通過できるように、レンズ容積とリザーバ容積との間に流体接続が存在することを意味する。
【００２４】
更に、本発明の一実施形態によると、少なくとも１つの開口部は、リング部材の顔面側（基部要素の前面に面する側）と基部要素とによって規定された周方向の間隙である。特に、膜の曲率調整可能区域が最大の凸状湾曲を呈すると、リング部材の前記顔面側は基部要素の前面に接触する。
【００２５】
更に、本発明の一実施形態によると、リング部材は、特にその顔面側が、透明な基部要素の前面にも接続される。
【００２６】
特に、少なくとも１つの開口部は、レンズ容積とリザーバ容積との間に流体接続、特に永久的な流体接続、が確立されるように、リング部材を貫通して（例えば、半径方向に、または半径方向に沿って）延在する流路である。別の実施形態によると、リング部材は、リザーバ容積をレンズ容積に流体接続する、特に、リング部材を半径方向に、または半径方向に沿って、貫通延在する、流路の形態の複数の開口部を更に備え得る。
【００２７】
更に、前記複数の開口部または流路は、リング部材と、リング部材、特に基部要素の前面に面するその顔面側、が取り付けられた基部要素の前面とによって規定され得る。ここで、これら開口部は、リング部材の顔面側が基部要素の前面に接続されたときに流路がもたらされるように、リング部材の縁端部または顔面側に凹部を形成することによって形成可能である。
【００２８】
上記の各実施形態において、１つの開口部または流路、または前記複数の開口部および流路、の１つ以上の寸法は（例えば、機械的または電気的に）制御可能である。
【００２９】
換言すると、１つの開口部または流路、または前記複数の開口部および流路、は静的および／または動的な流量および／または圧力調節器（例えば、逆流防止弁、調節弁、または流量調節抵抗器）として機能できる。
【００３０】
更に、特に、１つの開口部または流路、または前記複数の開口部および流路、の１つ以上の寸法は、眼の各まばたき、または選択されたまばたき、の前、最中、および／または後に調整される。
【００３１】
換言すると、レンズの曲率変化を（例えば、少なくとも事前に規定された期間にわたって）可能にする、高める、および／または抑制するために、リザーバ容積とレンズ容積との間の流体交換は、眼のまばたきと同期して調整される。
【００３２】
例えば、作動動作中の流動および／または圧力抵抗が減らされる、および／または以降の作動動作間の流動および／または圧力抵抗が増大される。上記の各実施形態において、少なくとも１つの開口部または前記複数の開口部の寸法は、特に、曲率調整可能区域の曲率の変化をもたらすためにリザーバ容積またはレンズ容積を圧縮すべき期間が眼のまばたきの持続時間より長くなるように、特に１秒より長くなるように、特に０．９秒より長くなるように、特に０．８秒より長くなるように、特に０．６秒より長くなるように、好ましくは０．５秒より長くなるように、選択される。
【００３３】
換言すると、レンズ容積（例えば、光学的に有効な径）と前記リザーバ容積との間の開口部または流路が十分に小さい場合は、（例えば、コンタクト）レンズを装着している人間の眼のまばたき動作が低域通過フィルタ処理されるので、レンズの曲率を変化させない。十分に低速の作動動作のみが（例えば、コンタクト）レンズの屈折力の変化をもたらす。
【００３４】
更に、本発明の一実施形態によると、リザーバ容積は、（例えば、コンタクト）レンズが人間の眼の瞳の上に配置されているときに、前記眼の瞼によって圧縮されるように構成される。特に、前記人間が前記瞼を部分的に（例えば、少なくとも事前に規定された期間にわたって）閉じたときに、前記リザーバ容積が圧縮されて膜の中央区域の曲率が増大するように、リザーバ容積はレンズ内に配置される。
【００３５】
レンズは、特に、リザーバの圧縮状態を維持するように構成される。このような状態の解除は、例えば、レンズ容積を押圧することによって、行える。
【００３６】
したがって、本発明の一実施形態によると、レンズ容積は、コンタクトレンズが人間の眼の瞳の上に配置されているときに、その人間の瞼によって、特に、液体をレンズ容積からリザーバ容積に押し戻すように前記眼の瞼を閉じることによって、変形または圧縮されるように構成される。
【００３７】
リザーバおよびレンズ容積の形状寸法を適切に選択することによって、眼のまばたき中のレンズ容積の総変化がほぼゼロになる。ここで、ほぼゼロとは、レンズの屈折力の変化が０．２５ジオプタ以下、特に０．１ジオプタ以下、特に０．０５ジオプタ以下であることを意味する。
【００３８】
一実施形態によると、リザーバ容積は、例えば膜によって形成された、第１の表面と、例えば基部要素によって形成された、第２の表面とによって画定され、前記両表面は互いに向かい合う。特に、前記両表面は、リザーバ容積の圧縮状態を維持できるように、リザーバ容積の圧縮により接触した際に（例えば、受動的に、例えば接着力により、または能動的に、例えば静電的により）互いに吸着するように構成される。
【００３９】
更に、前記吸着は、リザーバ容積とレンズ容積とを接続する流路および／または開口部を封止するために使用可能である。
【００４０】
更に、本発明の一実施形態によると、レンズは、液体をリザーバ容積からレンズ容積に押し込むようにリザーバ容積を圧縮するように構成されたアクチュエータを少なくとも１つ備える。
【００４１】
更に、特に、本発明の一実施形態によると、例えば、少なくとも１つの、または前記複数の、アクチュエータおよび／または調節器がリザーバ容積に対する作用、特に圧縮、を停止したときに、および／またはリザーバ容積とレンズ容積とを接続する流路または開口部に対する作用を停止したときに（例えば、リザーバ容積が解放されたときに）、液体をレンズ容積からリザーバ容積に押し戻すことができるように、膜の曲率調整可能区域は、ばね（および機械式エネルギー源）として機能するように構成される。
【００４２】
更に、本発明の一実施形態によると、レンズは、少なくとも１つの、または前記複数の、流路または開口部を閉鎖および／または封止することによってレンズ容積からリザーバ容積への液体の前記押し戻しを調節する、および／または完全に阻止する、ように構成される。
【００４３】
更に、本発明の一実施形態によると、リザーバ容積は、例えば膜によって形成された、第１の表面と、例えば基部要素によって形成された、第２の表面とで画定される。この２つの表面は互いに向かい合う。
【００４４】
更に、本発明の一実施形態によると、アクチュエータは、例えば先細の間隙が電極間に形成されるように、前記第１の表面に取り付けられた特に柔軟な（第１の）電極（すなわち、可撓性の導電要素）と、前記第２の表面に取り付けられた、絶縁された（第２の）電極（剛性または可撓性の導電要素）とを備える。電圧が前記両電極に印加されると、印加された電圧の大きさに応じた量だけ前記間隙が狭まり、液体がリザーバ容積から（例えば、前記間隙から）レンズ容積に押し込まれる。勿論、第１の電極または両電極を絶縁することも可能である。両電極を互いに対して絶縁することは好都合であるに過ぎない。
【００４５】
更に、本発明の一実施形態によると、アクチュエータの各電極は、複数の個別セクションに分割される。これらセクションは、離散的に、または連続して、個々に作動されるように構成された複数の電極対を形成する。離散的とは、一対を形成する２つの電極が互いに離れて間隙を形成するか、または互いに（間隙なしに）接触することを意味する。したがって、このような一対の電極によって、間隙のサイズに応じた離散量の液体を前記容積間で移送できる。連続的とは、２つの電極間の間隙が連続的に閉じられ、調整可能な量の液体を前記容積間で移送できることを意味する。特に、上記の電極、電極対、または対応するセグメントまたはセクション、を備えたアクチュエータは、本願明細書においてはジッパまたはジッピングアクチュエータとも称される。
【００４６】
更に、本発明の一実施形態によると、レンズは、リザーバ容積とレンズ容積との間で流体交換が行われる期間を制御するために、流体圧力および流体流量を（特に受動的に）制御するために、前記電極の特定の個別セクションを使用するように構成される。特に、レンズは、前記複数の電極セクションのうちの少なくとも１つ、または複数、を閉鎖および／または封止することによって流動および／または圧力抵抗を増大するように構成される、および／または流体流を完全に抑止するように構成される。
【００４７】
更に、特に、レンズの中心（すなわち、曲率調整可能区域）は、第１および第２の電極が互いに接触している、特に対応する間隙が消滅している、アクチュエータの閉状態とは対照的に、アクチュエータ（単数または複数）を開こうとする（例えば、アンジップしようとする）、すなわち、アクチュエータの開状態に対応して第１および第２の電極（単数または複数）を互いに離隔させようとする、ばねとして作用するように構成される。勿論、この間隙は、前記開状態と前記閉状態との間の何れのサイズを取ることもできる。更に、この間隙は、空間的に変動可能である。例えば、第１および第２の電極は、電極面積全体の特定の割合のみを互いに接触させ、他の区域を開状態にしておくことが可能である。このように部分的に閉鎖／ジップされた状態は、アクチュエータ力を制御することによって、特にアクチュエータ電圧を制御することによって、対処可能である。
【００４８】
本発明の一実施形態によると、明確に規定されたさまざまなアクチュエータ状態（例えば、閉じた状態、特定の割合だけ部分的に閉じた状態、または開いた状態）に対処するために、少なくとも１つの、またはいくつかの、非線形素子（例えば、逆流防止弁、摩擦要素、共振空洞）が、例えば、流体リザーバ（単数または複数）またはリザーバ容積、流路、またはアクチュエータ領域に組み込まれる。前記のアクチュエータ電圧の制御とは異なり、アクチュエータ力の制御の必要なしに、さまざまなアクチュエータ状態に対処するために、非線形素子を使用できる。例えば、アクチュエータの状態は、容積によって、例えば固定容積のリザーバを完全に枯渇させることによって、または圧力によって、例えば特定の圧力レベルで開く逆流防止弁の使用によって、制御可能である。
【００４９】
更に、本発明の一実施形態によると、電極または絶縁層が、接触時に、互いに吸着し難い、または吸着しない、または特定の吸着力で吸着する、ように、電極または絶縁層の改造（例えば、被膜、微小構造化、化学変性）が可能である。換言すると、前記表面の改造によって作動のための閾値電圧を低減または安定させることができる。
【００５０】
更に、本発明の一実施形態によると、前記吸着は、例えば、圧力波（例えば、まばたきによって引き起こされる圧力変動、超音波トランスデューサ）、および／または交流静電力（前記または追加の電極に印加されたＡＣ信号）によって一時的に、または永久的に、低下または調節可能である。
【００５１】
換言すると、瞼の高速動作および／または（例えば、システムの共振周波数における）ＡＣ電圧の高速変調は、前記アクチュエータおよび／または調節器の第１および第２の電極の接近および／または分離を助けることができ、したがって個々の平衡状態へのアクセスに必要な電圧および／またはエネルギーを効果的に下げることができる。
【００５２】
更に、本発明の一実施形態によると、１つの状態からの（例えば、機械的または電気）エネルギーを一時的に貯蔵し、別の状態に転送できるように、個々の平衡状態が接続される（例えば、少なくとも双安定のシステムまたは複数の平衡状態を有するシステム）。
【００５３】
更に、本発明の一実施形態によると、リザーバ容積および前記電極に対する瞼の影響を減らすために、レンズが眼に対して（使用者の頭部の直立姿勢に関して）意図どおりに配置されているときにリザーバ容積はレンズ容積に水平方向に隣接して配置される。
【００５４】
更に、本発明の一実施形態によると、少なくとも１つのアクチュエータは、リング部材の周囲に周方向に延在する。
【００５５】
更に、本発明の一実施形態によると、リング部材は、膜より少なくとも５倍、特に少なくとも１０倍、特に少なくとも５０倍、特に少なくとも１００倍、特に少なくとも１０００倍、硬質である。
【００５６】
更に、本発明の一実施形態によると、リング部材は、２５μｍより良好な、特に１０μｍより良好な、特に５μｍより良好な、真円度および平坦性をリング部材２０と膜との間の界面に有する。
【００５７】
更に、本発明の一実施形態によると、レンズは、このレンズを装着している人間から動きを感知するように構成される、および使用者の事前に定められた動きへの応答として出力信号を供給するように構成されたセンサを備える。特に、前記動きは、前記コンタクトレンズがその眼に配置されている前記人間の眼の瞼の動きである。
【００５８】
更に、レンズは、特に、センサによって供給された出力信号への応答として、または外部装置によって供給された出力信号への応答として、少なくとも１つのアクチュエータを作動させるように構成された処理ユニットを備える。特に、少なくとも１つのアクチュエータは、（例えば、対応付けられた第１および第２の電極間の間隙を開閉するために）上記のように前記電圧または前記複数の電圧を少なくとも１つのアクチュエータの前記電極に印加することによって、作動される。
【００５９】
本発明の一態様によると、本発明によるレンズと前記出力信号を供給するように構成された外部装置とを備えたシステムが提供され得る。
【００６０】
更に、本発明の一実施形態によると、前記センサは、感光性要素、圧力感知要素、容量型検知要素、熱センサ、特に抵抗器、のうちの１つである。特に前記抵抗器は、コンタクトレンズの周囲に沿って延在し得る。人間が抵抗器を瞼で覆うと、瞼から抵抗器に伝達された熱のために、抵抗器の温度が上昇する。
【００６１】
更に、本発明の一実施形態によると、コンタクトレンズは、電気エネルギー源、特に電池、を備える。
【００６２】
更に、本発明の一実施形態によると、前記電気エネルギー源は、以下のうちの１つによって充電されるように構成される。
‐誘導充電、
‐逆電気浸透作用による電流の発生、
‐特に、コンタクトレンズがソーラセルまたは光ダイオードを備える場合は、光、
‐特に、コンタクトレンズがペルチェ素子を備える場合は、熱電効果の使用、
‐静電充電（例えば、表面層の充電）、
‐特に、コンタクトレンズが瞼の動きを前記エネルギー源／電池に貯蔵可能な電気エネルギーに変換するための可撓性キャパシタンスを備える場合は、瞼の動きを収集する（例えば、人声によって充電される）圧電共振器。
【００６３】
更に、本発明の一実施形態によると、（例えば、膜および基部要素の）前記表面（上記を参照）は、少なくとも１つのアクチュエータの圧縮力によって互いに吸着するように構成される。すなわち、例えば、前記両表面は、少なくとも１つのアクチュエータによって互いに接触させられたときに、互いに吸着するように構成される。
【００６４】
更に、本発明の一実施形態によると、基部要素の裏面は、前記裏面が眼の表面に接触するように眼の表面に載置されるように構成される、または、膜の前面は、前記前面が眼の表面に接触するように眼の前記表面に載置されるように構成される。眼内レンズの場合も、基部要素または膜のどちらか一方は、眼に当たった入射光が最初に通過するように構成され得る。
【００６５】
更に、本発明によるレンズの一実施形態によると、リザーバ容積はレンズの上半分に（または、代わりに、下瞼のために下半分に）位置付けられる。したがって、レンズが人間の眼の瞳の上に配置されているとき、膜の曲率調整可能区域の曲率を増大させるために液体がリザーバ容積からレンズ容積に圧送されるように、前記眼の上瞼（または下瞼）の動きの開始によってリザーバ容積の圧縮が可能である。
【００６６】
更に、本発明によるレンズの一実施形態によると、リザーバ容積は、少なくとも１つの、特に２つの、またはより多くの、個別リザーバによって形成される。これら個別リザーバは、それぞれ前記上（または下）半分に配置され、レンズの上半分からレンズの下半分までレンズ容積の周囲に沿って延在するそれぞれの流路を介してレンズ容積に流体接続可能である。
【００６７】
更に、本発明によるレンズの一実施形態によると、それぞれの弁がそれぞれのリザーバに面するように、および／またはレンズ容積がこれらリザーバと弁（単数または複数）との間に配置されるように、前記少なくとも１つの、またはいくつかの、流路は、レンズの下（または上）半分に配置された１つの、またはいくつかの、弁を介してレンズ容積に接続可能である。
【００６８】
更に、本発明によるレンズの一代替実施形態によると、各リザーバは弁を備える。この弁を介して各リザーバは対応する流路に接続される。それぞれの弁は、それぞれのリザーバの壁（特に底部）を形成する浸透膜を備え得る。適した電圧がこの浸透膜に印加されると、この浸透膜は開いて液体を通過させる。
【００６９】
あるいは、それぞれの弁は、弁を開閉するための電極を少なくとも２つ備えた弁（例えば、本願明細書に記載されているようなジッパまたはジッピングアクチュエータ）、弁を開閉するための形状記憶合金または相変化材料から成る部材を備えた弁、弁を開閉するための電磁アクチュエータを備えた弁、弁を開閉するための別の磁石（例えば、外部磁石）によって動かされるように構成された磁石を備えた弁、のうちの１つにし得る。
【００７０】
更に、本発明によるレンズの一実施形態によると、レンズは、弁を開閉するためのエネルギーを弁に供給するために、電力線を介して弁に電気的に接続されるエネルギー源を備える。
【００７１】
更に、本発明によるレンズの一実施形態によると、レンズは、データ線を介して弁またはエネルギー源に接続された、瞼の動きを検出するためのセンサを備える。このセンサは、瞼の動きがセンサによって検出されたときに出力信号を供給するように構成され、更には、弁を制御するための、特に前記弁を開閉するための、出力信号を前記データ線経由で弁またはエネルギー源に供給するように構成される。
【００７２】
更に、本発明によるレンズの更に別の実施形態によると、レンズは、リザーバ容積を備えたポンプを備える。このポンプは、リザーバ容積を覆う前記膜の一領域を前記リザーバ容積の少なくとも一部を形成する基部要素の窪みに移動する（例えば、引き込む、または押し込む）ことによってリザーバ容積を空にするように構成される。
【００７３】
更に、本発明によるレンズの一実施形態によると、前記窪みは凹状形状（または円錐形状または他の何れか適した形状寸法）を有し得る。
【００７４】
更に、本発明によるレンズの一実施形態によると、リザーバの形状寸法は、膜の前記領域をリザーバ容積の窪みに移動する（例えば、引き込む、または押し込む）ために使用されるエネルギーが皆無か最小になるように設計される。
【００７５】
更に、本発明によるレンズの一実施形態によると、ポンプは、膜の前記領域をリザーバ容積の窪みに引き込むための静電力を発生させるように構成される。前記力を発生させるために、膜の前記領域は、可撓性の、特に伸張可能な、導電電極を備え、基部要素は、膜の前記電極に対向する対応する対向電極を少なくとも１つ備える。
【００７６】
あるいは、弁は、（例えば、電流による）加熱により拡張して膜の前記領域を窪みに移動させるように構成され得る形状記憶合金製の部材を備え得る。更に、本発明によるレンズの一実施形態によると、膜の当該領域および基部要素の両方に、または基部要素にのみ、誘電層が施され得る。
【００７７】
更に、本発明によるレンズの一実施形態によると、前記窪みからの排液のために、リザーバ容積をレンズ容積に接続する（例えば、基部要素に形成された溝の形態の）流路は、リザーバ容積の前記窪みの底部の特に最も低い（例えば、中心）区域に達する。前記溝は、膜の前記領域が窪みに移動された（例えば、引き込まれた、または押し込まれた）ときに自動的に封止されるように構成される。
【００７８】
更に、本発明によるレンズの一実施形態によると、移送される液体の量は、リザーバ容積によって適正に規定される。流体を複数の離散ステップで移送するために、いくつかのリザーバ容積を組み合わせることができる。
【００７９】
更に、本発明によるレンズの一実施形態によると、前記流路（または溝）が封止されているとき、リザーバ容積への液体の再流入は流路／溝とリザーバ容積とが相交わる箇所において阻止される。この相交わる箇所は、封止ラインとも称される。
【００８０】
更に、本発明によるレンズの一実施形態によると、ポンプは、一方では膜の電極を使用して、他方では前記対向電極、および／または窪みの底部の中心に配置されて前記対向電極によって囲まれた中心電極、を使用して、リザーバ容積の前記窪みの底部の一（例えば、中心）区域（この区域は封止区域とも称され、窪みの前記最も低い区域と同一にできる）に膜の前記領域を押さえ付けることによって、ここで弁を形成する流路をその封止または閉状態に維持するように構成される。あるいは、部材（形状記憶合金）は、膜の領域を押さえ付けるために使用され得る。
【００８１】
更に、本発明によるレンズの一実施形態によると、膜を窪み／リザーバ容積の底部に押さえ付けた後、活性電極面積および電力を減らすことができる。更に、（例えば、円形の）封止区域を可撓性または硬質に、あるいは剛性にも、できる。
【００８２】
更に、本発明によるレンズの一実施形態によると、封止された流路は、特に、印加された電力に応じて、特定の背圧で開き、液体の逆流およびリザーバ容積の再充填を開始するように構成される。
【００８３】
更に、本発明によるレンズの更に別の実施形態によると、レンズは、リザーバ容積とレンズ容積との間に流体接続をもたらすための流路を備える。レンズは、前記流路を開閉するための弁を備える。前記流路は、基部要素に形成された弁の窪みを通って延在する。この窪みは、前記膜の一領域によって覆われる。弁は、窪みを覆う前記膜の領域を窪みに移動する（例えば、引き込む、または押し込む）ことによって前記流路を開くように構成される、または閉塞するように構成される。
【００８４】
更に、本発明によるレンズの一実施形態によると、窪みの形状寸法は、膜を窪みに移動する（例えば、引き込む、または押し込む）ために使用されるエネルギーが皆無か最小であるように設計される。
【００８５】
更に、本発明によるレンズの一実施形態によると、弁は、膜の前記領域を弁の窪みに引き込むための静電力を発生させるように構成される。前記力を発生させるために、膜の前記領域は、可撓性の、特に伸張可能な、導電電極を備え、基部要素は対応する対向電極を少なくとも１つ備える。あるいは、弁は、前記力を発生させるための形状記憶合金製の部材を備え得る（上も参照）。
【００８６】
更に、本発明によるレンズの一実施形態によると、膜の領域および基部要素の両方に、または基部要素にのみ、誘電層が施され得る。
【００８７】
更に、本発明によるレンズの一実施形態によると、前記流路は、膜の前記領域が弁の窪みに移動された（例えば、引き込まれた、または押し込まれた）ときに、自動的に閉塞されるように構成される。
【００８８】
更に、本発明によるレンズの一実施形態によると、前記流路が閉塞されているとき、弁の窪みへの液体の再流入は流路と窪みとが相交わる複数の箇所において阻止される。これら相交わる箇所は封止ラインとも称される。特に、このような相交わる箇所または封止ラインは２つ存在する。１つは、流路が窪みに入る箇所にあり、もう１つは、流路が窪みから離れる箇所にある。
【００８９】
更に、本発明によるレンズの一実施形態によると、弁は、一方では膜の電極を使用して、他方では前記対向電極、および／または窪みの底部の中心に配置されて前記対向電極によって囲まれた中心電極、および／または封止ラインに沿って延在して間隙によって中心電極から隔てられた第１および／または第２の封止ライン電極を使用して、弁の前記窪みの底部の一（例えば、中心）区域（この区域は封止区域とも称され、窪みの最も低い区域と同一にできる）に膜の前記領域を押さえ付けることによって、流路をその閉塞状態に維持するように構成される。
【００９０】
更に、本発明によるレンズの一実施形態によると、膜を窪み／リザーバ容積の底部に押さえ付けた後、活性電極面積および電力を減らすことができる。更に、（例えば、円形の）封止区域を可撓性または硬質に、あるいは剛性にも、できる。
【００９１】
更に、本発明によるレンズの一実施形態によると、印加された電力に応じて、弁は特定の圧力で開き、リザーバ容積とレンズ容積との間で流路を介して液体を通過させるように構成される。
【００９２】
アクチュエータ（例えば、ポンプ）によって液体が移動される上記の各実施形態において、リザーバ容積からレンズ容積への、および／またはレンズ容積からリザーバ容積への、液体の圧送を助けるために、またはレンズの少なくとも１つの、またはいくつかの、弁の閉鎖を助けるために、膜またはその少なくとも一領域はレンズの使用者の瞼によって押し下げられるように構成される。
【００９３】
更に、本発明によるレンズの更に別の実施形態によると、リザーバ容積は前記膜の双安定領域によって覆われる。前記領域は基部要素に対して第１の安定状態から第２の安定状態に、およびこの逆に、移動可能である。第１の状態において、リザーバ容積は第２の状態より大きい。前記領域が第１の状態から第２の状態に移動されると、液体がリザーバ容積からレンズ容積に流入する。領域が第２の状態から第１の状態に移動されると、液体はレンズ容積からリザーバ容積に戻る。
【００９４】
更に、本発明によるレンズの一実施形態によると、レンズは、液体をレンズ容積からリザーバ容積に、およびこの逆に、流入させるために、リザーバ容積をレンズ容積に接続する流路を備える。
【００９５】
更に、本発明によるレンズの一実施形態によると、リザーバ容積は、レンズ容積の周囲に延在するリング形状または円形形状を備える。
【００９６】
更に、本発明によるレンズの一実施形態によると、膜の前記双安定領域は、十分な圧力が前記領域の凹状または凸状面に加えられたときに一方の安定状態からもう一方の安定状態に切り替わるように構成される。前記領域は、前記双安定領域を一方の状態からもう一方の状態に移動させるために、手動で（例えば、人間によって）、特に人間の指または瞼によって、作動されるように構成される。
【００９７】
更に、本発明によるレンズの一実施形態によると、膜の前記双安定領域は、前記双安定状態をもたらすための凸状または凹状形状が成形または熱成形を用いて付与される。
【００９８】
更に、本発明によるレンズの一実施形態によると、膜の前記領域はエラストマー製である。
【００９９】
更に、本発明によるレンズの一実施形態によると、膜の一部または膜の前記領域は金属製、またはポリマー製、またはエラストマー製、あるいは少なくとも２つの材料から成る異種混交構造である。例えば、シリコーンに埋め込まれたカプトン（Ｋａｐｔｏｎ）製ディスク。
【０１００】
本発明の別の態様によると、本願明細書または特許請求の範囲に記載の本発明によるレンズと、このレンズが使用者の眼の表面に載置されていないときにレンズを保管するための容器とを備えたシステムが開示される。前記容器は、レンズが容器内に配置されているときに、レンズの電池を誘導によって充電するための導電コイルを備える。ここで、特に、レンズは、レンズのエネルギー源（例えば、電池）に接続される導電コイルを更に備え得る。
【０１０１】
本発明の別の側面によると、請求項５８の特徴を有する、特に本発明による、コンタクトレンズを製造するための方法が提案される。本方法は、
−（例えば、シリコーンヒドロゲル、またはシリコーンヒドロゲルで被覆されたシリコーンから、例えば、成形によって）基部要素を設けるステップと、
−膜の裏面に接続されたリング部材を備えた弾性変形可能な膜を（例えば、シリコーンヒドロゲル、またはシリコーンヒドロゲルで被覆されたシリコーン、から、例えば成形によって）設けるステップと、
−基部要素を膜（例えば、その裏面）に接合し、これによりコンタクトレンズのレンズ容積およびリザーバ容積を形成するステップと、
−前記レンズ容積および前記リザーバ容積に透明な液体を充填するステップと、
を含む。
【０１０２】
特に、被覆、少なくとも１つの電極、絶縁層、吸着防止層のうちの１つが膜および／または基部要素に施される。
【０１０３】
特に、リング部材は、膜にプラズマ接合可能である。更に、基部要素は、膜にプラズマ接合または接着可能である。
【０１０４】
更に、特に、リング部材は、膜と（例えば、膜の成形時に）一体に形成可能である。リング部材は、紫外線の照射によって硬化可能である。または、膜は、紫外線の照射によって軟化可能である。紫外線の照射によって硬化可能なリング部材および膜のために使用され得る材料は、例えば、シリコーンまたはウレタンである。更に、紫外線の照射によって軟化可能な膜およびリング部材のために使用され得る材料は、例えば、シリコーンまたはウレタンである。
【０１０５】
あるいは、膜および一体型リング部材の成形中にリング部材を化学的に硬化するように設計されたプライマが型に塗布され得る。
【０１０６】
更に、本発明の一実施形態によると、前記充填は、前記接合の実施後に、浸透を用いて行われる。
【０１０７】
このために、特に、接合の前に、事前に規定された量の水溶性塩が基部要素または膜に配置される。その結果、前記塩は、接合後、レンズ容積および／またはレンズリザーバに配置される。その後、接合された基部要素および膜が透明な液体に浸漬される。この透明な液体は、浸透によってレンズ容積およびリザーバ容積に入る。
【０１０８】
更に、本発明の一代替実施形態によると、前記充填は前記接合の前に行われ、前記液体は、膜によって形成された窪みに充填される。その後、前記接合が行われる。前記接合の後、レンズ容積および／またはリザーバ容積に存在するガスが当該容積から除去される。
【０１０９】
ここで、接着剤、特に接着剤リング、が膜の縁端部と基部要素の縁端部との間に使用され得る。この接着剤は、レンズ容積／リザーバ容積から前記ガスが除去された後に、硬化される。これにより、コンタクトレンズの初期焦点距離の調節が可能になる。ここで、紫外線の照射によって硬化可能な接着剤が使用される。その後、前記ガス抜き（すなわち、前記両容積からのガスの除去）後に、紫外線を接着剤に照射することによって接着剤の硬化が行われる。
【０１１０】
更に、接合の前に充填が行われる一実施形態においては、膜は、（成形の代わりに）基部要素上に配置された液体の蒸着（被覆）による蒸気被覆によって設けられ得る。膜を蒸着するために使用可能な材料（リング部材は事前に設けられている（例えば、基部要素上に配置されている））は、例えば、パリレン（すなわち、化学蒸着されたポリ（ｐ−キシレン）ポリマー）である。
【０１１１】
本発明は、コンタクトレンズまたは眼内レンズなどの多種多様な用途に、または調整可能な焦点距離を必要とする他の何れのレンズにも、使用可能である。
【０１１２】
以下に記載の発明の詳細な説明を考慮されると、本発明がより深く理解され、上記以外の目的が明らかになるであろう。このような説明は、以下の図面を参照する。
【図面の簡単な説明】
【０１１３】
【図１】本発明によるコンタクトレンズの一実施形態を示す。
【図２】瞼による図１によるコンタクトレンズの作動を示す。
【図３】レンズ容積とリザーバ容積とを流体接続するためのリング部材の開口部の２つの異なる変形例を示す。
【図４】アクチュエータを用いた本発明によるコンタクトレンズの一実施形態を示す。
【図５】図４に示されているアクチュエータの概略断面図を示す。
【図６】本発明によるコンタクトレンズの別の実施形態を示す。
【図７】本発明によるコンタクトレンズの別の実施形態を示す。
【図８】本発明によるコンタクトレンズの別の実施形態を示す。
【図９】本発明によるコンタクトレンズの別の実施形態を示す。
【図１０】本発明によるコンタクトレンズの別の実施形態を示す。
【図１１】本発明によるコンタクトレンズの別の実施形態を示す。
【図１２】本発明によるコンタクトレンズの別の実施形態を示す。
【図１３】本発明によるコンタクトレンズの電池を充電するための手段を示す。
【図１４】本発明によるコンタクトレンズを製造するための一方法を模式的に示す。
【図１５】本発明によるコンタクトレンズを製造するための一代替方法を示す。
【図１６Ａ】眼のまばたき動作の低域通過フィルタ処理を示す。
【図１６Ｂ】図１６Ａの低域通過フィルタ処理の時定数の微調整を示す。
【図１７Ａ】本発明によるコンタクトレンズとそのセンサ、アクチュエータ、調節器、および処理ユニットとの間の相互作用を示す。
【図１７Ｂ】本発明によるコンタクトレンズとそのセンサ、アクチュエータ、調節器、および処理ユニットとの間の相互作用を示す。
【図１８】眼内レンズの形態の本発明によるレンズを示す。
【図１９】複数の異なる動作モード、すなわち、能動的なジッパポンプの使用時（モードＡ）、ジッパ区域の受動的封止を使用する能動的な瞼ポンプの使用時（モードＢ）、または調節弁または周波数制御部を用いた能動的な瞼ポンプの使用時を示す。
【図２０】レンズの焦点距離を変えるために瞼による作動を用いる本発明によるレンズの一実施形態を示す。
【図２１】図２０に示されている実施形態の一改造例を示す。
【図２２】図２１のレンズの断面図を示す。
【図２３】レンズの曲率／焦点距離を変化させるために瞼による作動を用いる本発明によるレンズの別の実施形態を示す。
【図２４】レンズの曲率／焦点距離を変化させるために瞼による作動を用いる本発明によるレンズの別の実施形態を示す。
【図２５】レンズの曲率／焦点距離を変化させるために瞼による作動を用いる本発明によるレンズの別の実施形態を示す。
【図２６】レンズの曲率／焦点距離を変化させるために瞼による作動を用いる本発明によるレンズの別の実施形態を示す。
【図２７】ポンプと弁とを有するレンズの一実施形態を示す。
【図２８】ポンプと弁とを有するレンズの別の実施形態を示す。
【図２９】ポンプと弁とを有するレンズの別の実施形態を示す。
【図３０】流路と弁とを有するレンズの一実施形態を示す。
【図３１】流路と弁とを有するレンズの別の実施形態を示す。
【図３２】ポンプまたは弁を作動させるための電極の操作例を示す。
【図３３】ポンプまたは弁を作動させるための電極の別の操作例を示す。
【図３４】形状記憶合金から形成された部材によって作動される弁またはポンプを示す。
【図３５】双安定膜領域によって覆われたリザーバを用いる本発明によるレンズの一実施形態を示す。
【発明を実施するための形態】
【０１１４】
図１は、コンタクトレンズを作動させるために使用される瞼に対応する眼２にコンタクトレンズを装着している人間の瞼４によって作動されるように設計された本発明によるコンタクトレンズの一実施形態を示す。この作動によって、コンタクトレンズの焦点距離を調整できる。
【０１１５】
以下において、レンズは、図１８に示されているような眼内レンズとしても常に形成され得るが、ここでは、このような眼内レンズの焦点距離を調整するために、本発明によるアクチュエータ７０が特に使用される。眼内レンズは、例えば、眼のレンズと置き換えられるように構成可能である（図１８のパネルＡに図示）、または図１８のパネルＢに示されているように眼２の天然レンズ１１１への追加として埋め込まれるように構成することも可能である。眼内レンズの一般的な設計は、本発明によるコンタクトレンズの設計に相当する。更に、本発明による眼内レンズは、その位置を眼２の内部に固定するための追加の固定手段を備え得る。以下においては、本発明によるコンタクトレンズを説明するが、これら実施形態は眼内レンズの場合にも適用され得ることに留意されたい。
【０１１６】
図１に示されているように、コンタクトレンズ１は、人間の瞳の上に配置されるように適合された裏面１２を備えた基部要素１０を備える。基部要素１０は、基部要素１０の裏面１２とは反対の側を向いた前面１１を更に備える。
【０１１７】
更に、透明な弾性的に拡張可能な膜２０が前記基部要素１０に接続される。前記膜２０は、基部要素１０の前記前面１１に面する裏面２２を備える。
【０１１８】
偏向膜２０、特に膜２０の曲率調整可能（例えば、中心）区域２３、の形状を規定するために、例えば、膜２０の裏面２２に接続されて膜２０の前記（例えば、円形）区域２３を規定する円形リング部材３０（レンズ整形器とも称される）が設けられる。
【０１１９】
特に、リング部材３０は、光軸（図１に破線で図示）を中心に周方向に延在する。
【０１２０】
この区域２３の下に、コンタクトレンズ１は、リング部材３０によって囲まれた所謂レンズ容積４１を備える。更に、コンタクトレンズ１は、前記膜２０の境界区域２４の下にリザーバ容積４２を備える。コンタクトレンズ１のこれら２つの容積４１、４２は、同じ透明の液体５０で充填される。
【０１２１】
図１では凸状隆起を形成している、膜２２の曲率調整可能区域２３の曲率の調整を可能にするために、リザーバ容積４２が圧縮されたときに、膜２０の前記曲率調整可能区域２３の曲率が増大してコンタクトレンズの焦点距離１が短くなるように、リザーバ容積４２に存在する液体５０がレンズ容積４１に押し込まれるように、更にはレンズ容積４１が圧縮されたときに、膜２０の前記曲率調整可能区域２３の曲率が小さくなってコンタクトレンズの焦点距離１が長くなるように、レンズ容積４１に存在する液体５０がリザーバ容積４２に押し込まれるように、前記容積４１、４２は互いに流体接続される、または流体接続可能である。
【０１２２】
図１から推測できるように、リザーバ容積４２は、リング部材３０の半径方向外側に（すなわち、リング部材３０の外側に）配置される。
【０１２３】
曲率調整可能区域２３の曲率、すなわち、コンタクトレンズ１の屈折力、の変化を引き起こすために、リザーバ容積４２は、コンタクトレンズ１が人間の眼２の瞳３の上に意図どおりに配置されているときに、前記眼２の瞼４によって圧縮されるように構成される。図１の右側に示されているように、前記人間が前記瞼４を部分的に閉じたときにリザーバ容積４２が圧縮されて膜２０の曲率調整可能区域２３の曲率が増大するように、リザーバ容積４２はコンタクトレンズ１内に配置される。特に、瞼４は膜２０の境界領域２４上に摺動するため、この区域２４の下に存在するリザーバ容積４２は圧縮され、相当する量の液体５０がレンズ容積４１に押し出され、膜２０の中央区域２３の曲率が増大する。
【０１２４】
このような作動の一連の事象Ａ〜Ｅが図２に示されている。図面Ｄは、瞼４を閉じる動きを示す。瞼４は膜の中央区域２３上に摺動し、パネルＥに示されているように、液体５０をリザーバ容積４２に押し戻す。
【０１２５】
好ましくは、この実施形態において（図１の左側に示されているように）リザーバ容積４２は、膜２０によって形成された第１の表面２００と、基部要素１０によって形成された第２の表面１００とによって画定される。前記表面２００、１００は互いに向き合っており、例えば、図２のパネルＣに示されているように、リザーバ容積４２の圧縮により接触したときに、リザーバ容積４２の圧縮状態を維持できるように、（例えば、ファン・デル・ワールス力などの吸着力によって）互いに吸着するように構成される。この吸着は、図２のパネルＤに示されているように、瞼４でレンズ容積を圧縮することによって解消できる。
【０１２６】
図３は、２つの容積４１、４２の間に流体接続を確立する３つの異なる可能性を示す。
【０１２７】
図３（Ａ）によると、リザーバ容積４２は、少なくとも１つの、またはいくつかの、開口部６０を介して、レンズ容積４１に流体接続可能である。開口部６０は流路の形態であり、リング部材を貫通して、すなわち、リング部材３０の外側からレンズ容積４１に面するリング部材３０の内側まで、延在する。ここで、リング部材３０は、基部要素１０の前面１１にも接続されている。
【０１２８】
あるいは、図３（Ｂ）に示されているように、少なくとも１つの開口部６０は、リング部材３０の顔面側３０ａと基部要素１０の前面とによって規定された周方向開口部（間隙）にすることもできる。前記顔面側３０ａは、基部要素１０の前面１１に面している。特に、膜２０の曲率調整可能区域２３が最大の凸状湾曲を呈するとき、リング部材３０の前記顔面側３０ａは基部要素１０の前面１１に接触し得る。あるいは、図３（Ｃ）に示されているように、リング部材３０は、膜２０および基部要素１０に取り付けられ得る。リング部材３０は、その顔面側３０ａに形成された凹部を備える。この凹部は、レンズ容積４１からリザーバ容積４２まで延在する（例えば、半径方向の）開口部または流路６０を形成する。ここで、これら流路は、リング部材３０と基部要素１０の前面１１とによって画定される。このような実施形態において、リング部材３０は陸橋のように見え得る。
【０１２９】
更に、図１６Ａに示されているように、上記の少なくとも１つの開口部６０または前記複数の開口部６０の寸法は、膜２０の曲率調整可能区域２３の曲率を変化させるためにリザーバ容積４２および／またはレンズ容積４１を圧縮する必要がある期間が一般的な眼のまばたきより著しく長くなるように、選択される。したがって、不要に発生する眼のまばたきは、コンタクトレンズ１の屈折力を変化させない。
【０１３０】
更に、図２０〜図２４および図３５に示されているように、少なくとも１つの流路４３または前記複数の流路４３は、レンズ容積４１をリザーバ容積４２に接続するために使用される。したがって、少なくとも１つの開口部６０または複数の開口部６０は、リザーバ容積４２および／またはアクチュエータ出口１６０ｄに直接、または前記流路４３のうちの１つ以上を介して間接的に、接続される。ここで、開口部６０は、要素４３と同様の流路にすることもできる。流路４３は、要素６０と同様の開口部を含むこともできる。
【０１３１】
更に、図１６Ｂに示されているように、低域通過フィルタの時定数は、例えば、開口部６０または流路４３の断面を（例えば、静電閉鎖によって）微調整することによって、微調整可能である。
【０１３２】
ここで、少なくとも１つの開口部６０または流路４３の断面を狭めると、上記の前記複数の開口部６０または流路４３を使用して低周波数および／またはＤＣ成分を阻止できるので、例えば、開口部６０または流路４３を弁装置として使用することもできる。これは、レンズ容積４１からリザーバ容積４２への流体の後方漏洩を受動的に（図１６Ａを参照）または能動的に（図１６Ｂを参照）減らそうとするものである。例えば、後方漏洩は、小さな穴／開口部（微調整不能な断面）を用いて減らし得る（図１６Ａを参照）。更に、後方漏洩は、微調整可能な断面を有する小さな穴／開口部によっても減らされ得る（図１６Ｂを参照）。
【０１３３】
断面が十分に大きい場合は、高周波も通過させる。その場合、眼のまばたき（図１９Ａおよび図１９Ｂのｙ３を参照）を脈動圧送源として使用できる（図１９Ｂを参照）。この場合、下のブロック７０は、機械式瞼アクチュエータであり、レンズを駆動するための力とエネルギーとを供給する。ジッパ（ブロック７００）は、機械式ポンプ７０からの動力に圧送用動力を大幅に、または少し、追加することによって、あるいは一切追加せずに、瞼アクチュエータを支援する。ここで、支援するとは、例えば、ジッパ（ブロック７００）の２つの電極が機械的に（例えば、瞼の動きによって）直近に移動された後、ジッパをその閉状態に保持することによって、ジッパは、受動的および／または能動的な調節装置として、圧送を支援することも意味し得る。両電極を（例えば、以降の眼のまばたきによって）近接させる、またはより近接させる、前に、予めジッパに動力を供給しておくと好都合ではある（図１９のｙ１を参照）。
【０１３４】
更に、図６および図７は、リザーバ容積のそれぞれ異なる可能な構成を示す。図６によると、コンタクトレンズは、中心にレンズ容積４１を有する楕円形の輪郭を有し得る。ここで、リザーバ容積４２はレンズ容積４１の周囲に、レンズ容積４１の水平方向両側のより大きな部分として、配置可能である。更に、図７に示されているように、コンタクトレンズ１は、使用者の瞳３を覆って配置される中心のレンズ容積４１と、レンズ容積４１の周囲に延在する円形の環状リザーバ容積４２とを有する円形の輪郭を有し得る。更に、図８に示されているように、リザーバ容積４２は、レンズ容積４１の２つの側にのみ位置付けられ得る。
【０１３５】
コンタクトレンズ１の無動力作動の一代替案として、コンタクトレンズ１は、液体５０をリザーバ容積４２からレンズ容積４１に押し込むようにリザーバ容積４２を圧縮するように構成されたアクチュエータ７０を少なくとも１つ備え得る。この場合も、この作動は、上記の図２のパネルＤに示されている瞼の動きによって、解除され得る。
【０１３６】
このようなアクチュエータ７０は、図１７Ａに示されているように、作動／制御され得る。これによると、コンタクトレンズ１は、コンタクトレンズ１を装着している人間（使用者）の動きを感知するように構成される、および前記人間の所定の動きへの応答として出力信号を供給して処理ユニット９０からのアクセスを可能にするように構成されたセンサ８０を備える。特に、前記動きは、コンタクトレンズ１を装着している前記使用者の眼２の瞼４の動きである。処理ユニット９０は、液体をリザーバ容積４２からレンズ容積４１に、またはこの逆に、移送するために、センサ８０から供給された出力信号への応答として少なくとも１つのアクチュエータ７０を作動させるように構成される。更に、構成要素７０、８０、９０のために必要な電力を供給する電気エネルギー源１１０がコンタクトレンズ１内に配置される。
【０１３７】
特に、センサ８０は、感光性要素、圧力感知要素、容量型検知要素、熱センサ、特に抵抗器、のうちの１つである。例えば、感光性要素は、瞼によって覆うことができるように、ひいては、処理ユニット９０を制御するために使用可能な信号を発生させ得るように、コンタクトレンズ内に配置される。瞼４の位置を判定するために、抵抗器を使用できる。その理由は、抵抗器は、瞼４から抵抗器に伝達される熱に感応するからである。例えば、抵抗器は、コンタクトレンズ１の周囲に沿って延在可能である。
【０１３８】
更に、電気エネルギー源１１０は、上記のさまざまな方法で、例えば図１３に示されているように誘導充電によって、充電可能な電池にすることができる。ここで、電池１１０の充電は、コンタクトレンズ１の周囲に沿って延在し得るコンタクトレンズ１のコイル３０１にエネルギーを伝達する、電源に接続されたコイル３０２を備えた、コンタクトレンズ１用の容器３００内に電池１１０が置かれているときに行われる。
【０１３９】
更に、電池１１０を充電するために、ソーラセル１２０を使用し得る。ソーラセル１２０は、電池１１０のように、例えば図９および図１０に示されているように、レンズ容積４１の傍らのリング部材３０の外側に配置可能である。
【０１４０】
更に、センサ８０は、例えばアクチュエータ７０の静電容量を測定することによって、コンタクトレンズの状態も感知できる。これは、高周波感知信号をアクチュエータ信号に重畳することによって行うことができる。この感知信号は、アクチュエータの静電容量の測定を可能にする。
【０１４１】
更に、加えて、図１７Ｂに示されているように、流体装置７００を図１７Ａの実施形態に（例えば、別個のブロック７００として）追加し得る。流体装置７００は、能動的な調節器および／または受動的な弁にし得る。あるいは、アクチュエータユニット７０は、受動的な制御の特徴も含むように構成され得る。ジッパ７０のほか、本願明細書に記載の他の全てのアクチュエータが使用され得る。特に、瞼のまばたき自体をアクチュエータ／作動力として使用することもできる。この場合、ジッパを単に調節装置７００にし得る。意図的に、ブロック７００は、所要エネルギーおよび／または（平均またはピーク）電力が、ブロック７０の１０００分の１、または１００分の１、または１０分の１、または少なくとも２分の１になるように設計され得る。
【０１４２】
上記のように制御および通電可能なアクチュエータ７０の一実施形態が図４および図５に示されている。
【０１４３】
この実施形態によると、特に図１および図３（右側）に示されているように設計され得る、コンタクトレンズ１は、膜２０によって形成された第１の表面２００と基部要素１０によって形成された第２の表面１００とによって画定されたリザーバ容積４２を有する。この２つの表面２００、１００は互いに向かい合う。アクチュエータ７０は、先細の間隙７４が電極７１、７２間に形成されるように、前記第１の表面２００に取り付けられた電極７１と前記第２の表面１００に取り付けられた絶縁された電極７２とを備える。ここで、図５に示されているように、処理ユニット９０によって電圧が前記電極７１、７２に印加された場合、前記間隙７４は印加電圧の大きさに応じた量だけ狭められ、液体５０はリザーバ容積４２からレンズ容積４１に押し込まれ、膜２０の曲率調整可能区域２３の曲率を増大させる。図９および図１２によると、第１の電極７１、７１ａ、７１ｂ、７１ｃ、７１ｄと対応する複数または単一の第２の電極（第１の電極によって覆われているので不図示）とを有するこのようなアクチュエータ７０を中心レンズ容積４１の両側にいくつか設けることができるので、個々のアクチュエータセグメントを作動することによって膜２０の曲率の離散的変化を実現できる（例えば、図１２の７１ｅ）。例えば、個々のアクチュエータセグメントを完全に閉じるか開くことによって、アクチュエータの連続的調整の回避が可能である。１つのアクチュエータセグメント７１ｅを閉じると、０．２５ｄｐｔまたは０．５ｄｐｔの屈折力変化がもたらされる。アクチュエータセグメントのさまざまな組み合わせに通電することによって、焦点距離の広範囲の組み合わせを実現可能である。これら離散的変化は、処理ユニット９０によって処理可能な（例えば、使用者の瞼４の）特定の動きのパターンによって引き起こされ得る。
【０１４４】
図１０に更に示されているように、１つの、またはいくつかの、アクチュエータ７０をレンズ容積４１の一方の側にのみ配置し、電池１１０、ソーラセル１２０、センサ８０、および処理ユニット９０など、他の構成要素のためのスペースをレンズ容積４１のもう一方の側に残し得る。あるいは、アクチュエータ７０と電池１１０または他の構成要素を互いに重ねることも可能である。
【０１４５】
更に、図１０は、外部装置８１（例えば、スマートフォン）によって供給された出力信号への応答として少なくとも１つのアクチュエータ７０を作動させるように処理ユニット９０を構成し得ることも示している。このような外部装置は、本発明の他の複数の実施形態とも併用され得る。
【０１４６】
更に、図１１は、上瞼４および下瞼４ａが位置付けられるコンタクトレンズ１の周辺部にリザーバ容積４２が位置付けられる一実施形態を示す。これにより、瞼によってレンズの曲率を調整するとき、膜の曲率調整可能区域２３に接触することなく、リザーバ容積を押圧できる。
【０１４７】
上述の各実施形態の組み合わせを有することも本発明の精神に含まれる。例えば、瞼による機械的圧力によってレンズを調整できるので、静電アクチュエータは、基部要素１０によって形成された第２の表面１００に前記膜２０の境界区域２４を引き寄せることによって、調整されたレンズの曲率を維持するためにのみ必要とされる。あるいは、絶縁層を電極７２上に設けずに、電極７１に設けることも可能である。更に、膜２０を眼に直接接触する表面とし、基部要素が外界に向くようにすることも可能である。更に、全てのコンタクトレンズを親水性封入層に埋め込むこともできる。以下に示唆されているような材料および製造方法は、図１〜図１８に示されている全ての実施形態に当てはまる。
【０１４８】
電極７１（７１ａ〜７１ｄ、７１ｅ）および７２は、損傷されずに変形可能であることが好ましい。したがって、第１の電極は以下の材料うちの１つで製造されると好都合である。
・カーボンナノチューブ（「Ｓｅｌｆ−ｃｌｅａｒａｂｌｅ  ｃａｒｂｏｎ  ｎａｎｏｔｕｂｅ  ｅｌｅｃｔｒｏｄｅｓ  ｆｏｒ  ｉｍｐｒｏｖｅｄ  ｐｅｒｆｏｒｍａｎｃｅ  ｏｆ  ｄｉｅｌｅｃｔｒｉｃ  ｅｌａｓｔｏｍｅｒ  ａｃｔｕａｔｏｒｓ」，  Ｗｅｉ  Ｙｕａｎ  ｅｔ  ａｌ，  Ｐｒｏｃ．  ＳＰＩＥ，  Ｖｏｌ．  ６９２７，  ６９２７０Ｐ  （２００８）を参照）、
・銀ナノワイヤ、
・カーボンブラック（「Ｌｏｗ  ｖｏｌｔａｇｅ，  ｈｉｇｈｌｙ  ｕｎａｂｌｅ  ｄｉｆｆｒａｃｔｉｏｎ  ｇｒａｔｉｎｇ  ｂａｓｅｄ  ｏｎ  ｄｉｅｌｅｃｔｒｉｃ  ｅｌａｓｔｏｍｅｒ  ａｃｔｕａｔｏｒｓ」，  Ｍ．  Ａｓｃｈｗａｎｄｅｎ  ｅｔ  ａｌ．，  Ｐｒｏｃ．  ＳＰＩＥ，  Ｖｏｌ．  ６５２４，  ６５２４１  Ｎ  （２００７）を参照）、
・カーボングリース／伝導グリース、
・金属イオン（Ａｕ、Ｃｕ、Ｃｒ、．．．）（「Ｍｅｃｈａｎｉｃａｌ  ｐｒｏｐｅｒｔｉｅｓ  ｏｆ  ｅｌｅｃｔｒｏａｃｔｉｖｅ  ｐｏｌｙｍｅｒ  ｍｉｃｒｏａｃｔｕａｔｏｒｓ  ｗｉｔｈ  ｉｏｎ−ｉｍｐｌａｎｔｅｄ  ｅｌｅｃｔｒｏｄｅｓ」，  Ｓ．  Ｒｏｓｓｅｔ  ｅｔ  ａｌ．，  Ｐｒｏｃ．  ＳＰＩＥ，  Ｖｏｌ．  ６５２４，  ６５２４１０  （２００７）を参照）、
・液体金属（例えば、ガリンスタン）、
・イオン性液体
・電解液
・金属粉、特に金属ナノ粒子（金、銀、銅）、
・金属フィルム
・導電性ポリマー（本質的に導電性または複合材料）
【０１４９】
電極７１および７２の堆積は、以下の手法の何れによっても行われ得る。
・吹き付け、
・イオン注入（「Ｍｅｃｈａｎｉｃａｌ  ｐｒｏｐｅｒｔｉｅｓ  ｏｆ  ｅｌｅｃｔｒｏａｃｔｉｖｅ  ｐｏｌｙｍｅｒ  ｍｉｃｒｏａｃｔｕａｔｏｒｓ  ｗｉｔｈ  ｉｏｎ−ｉｍｐｌａｎｔｅｄ  ｅｌｅｃｔｒｏｄｅｓ」，  Ｓ．  Ｒｏｓｓｅｔ，  Ｐｒｏｃ．  ＳＰＩＥ，  Ｖｏｌ．  ６５２４，  ６５２４１０  （２００７）を参照）、
・ＰＶＤ、ＣＶＤ、
・蒸着、
・スパッタリング、
・フォトリソグラフィ、
・印刷、特にコンタクト印刷、インクジェット印刷、レーザ印刷、およびスクリーン印刷、
・磁界誘導自己組織化（例えば、「Ｌｏｃａｌ  ｓｕｒｆａｃｅ  ｃｈａｒｇｅｓ  ｄｉｒｅｃｔ  ｔｈｅ  ｄｅｐｏｓｉｔｉｏｎ  ｏｆ  ｃａｒｂｏｎ  ｎａｎｏｔｕｂｅｓ  ａｎｄ  ｆｕｌｌｅｒｅｎｅｓ  ｉｎｔｏ  ｎａｎｏｓｃａｌｅ  ｐａｔｔｅｒｎｓ」，  Ｌ．  Ｓｅｅｍａｎｎ，  Ａ．  Ｓｔｅｍｍｅｒ，  ａｎｄ  Ｎ．  Ｎａｕｊｏｋｓ，  Ｎａｎｏ  Ｌｅｔｔｅｒｓ  ７，  １０，  ３００７−３０１２，  ２００７を参照）、
・ブラッシング、
・電気メッキ
【０１５０】
膜２０と基部要素１０との吸着挙動を制御するために、以下の改造（例えば、被覆）を膜２０、基部要素１０、電極７１、７２、または絶縁層７３に適用できる。
・自己組織化単分子層（例えば、ＨＭＤＳ）
・フルオロカーボン（例えば、ＰＴＦＥなどのペルフルオロカーボン）
・自己組織化単分子層（ＳＡＭ）は、例えば、以下を有する分子を含むことができる。
○規則または過フッ化アルキル鎖を含む、または規則または過フッ化アルキル鎖から成る、分子尾部基、および／または
○シランまたはリン酸を含む、またはシランまたはリン酸から成る分子頭部基。
・ナノ構造化による表面トポロジの調整
・例えば、以下による表面粗面化および／または表面エネルギー改変。
○ナノ構造化
○光（例えば、ＵＶ）照射
○オゾンおよび／または他のラジカルガス環境への暴露
○イオン衝撃
【０１５１】
絶縁層７３は、例えば、以下を含むことができる、または以下から構成可能である。
・ＡＩ２О３、ＳｉО２、Ｓｉ３Ｎ４
・パリレン
・エポキシ、ＰＶＤＦ（ポリフッ化ビニリデン）
・電気樹脂：ＳＵ−８、シクロテン（ＢＣＢ系）、
・高誘電率誘電体（例えば、無機材料、Τ１О２、ＨｆО２、またはＺｒО２）
・ポリマーマトリクス内の高誘電率ナノ粒子（例えば、ＢａＴｉО３）から成るナノコンポジット
・低誘電率誘電体（例えば、ポリマー）
○ＣＹＴＯＰ（登録商標）および／または他
○アモルファスポリマーおよび／または他
○フルオロカーボンポリマー
・架橋可能なポリマー誘電体（例）
・電気化学二重層（例えば、イオン性液体およびイオン性ゲルをベースとする）
【０１５２】
絶縁層７３は、例えば、以下の手法の何れかによって堆積可能である。
・ＰＶＤ（蒸着、スパッタリング）
・ＣＶＤ（ＡＬＤ、ＰＥＣＶＤ、．．．）
・スピン被覆
・陽極酸化処理
・スプレー熱分解
【０１５３】
一実施形態によると、電極を用いた上記のアクチュエータ７０は、能動ポンプを形成するように構成可能である。この能動ポンプは、本願明細書においては能動ジッパポンプとも称され、図１９に示されているモードＡで作動されるように構成可能である。この図において、ｙ１は電力線を示し、ｙ２は屈折力を示し、ｙ３は瞼のまばたきを示し、ｙ４は制御線を示し、Ｅ＃は個々の事象、Ｔ＃はそれぞれの時間間隔、Ｓ＃は屈折力の状態を示す。ＬＨはロジックの高状態を示し、ＬＬはロジックの低状態を示す。
【０１５４】
このモードＡにおいては、Ｅ０における電力線ｙ１上の電圧ステップが期間Ｔ１を開始させる。この期間中、レンズの屈折力が状態Ｓ１から状態Ｓ２に増大する。Ｔ１は、ジッピング持続時間であり、この期間中、液体はリザーバからレンズ容積に、例えば、上記のジッパアクチュエータ７０によって、低速で移送される。屈折力の変化Ｓ２−Ｓ１は、特定の電圧に依存する位置へのジッピングによって規定されるか、または多数の個別アクチュエータセグメント（例えば、第１および第２の電極７１、７１ａ、７１ｂ、７１ｃ、７１ｄ、７１ｅの対。上記を参照）のうちの１つの完全ジッピングによって規定される。レンズ１の透明な液体５０を移送するためのエネルギーは、エネルギー源から抽出される。眼のまばたき事象では、液体５０は永久に移送されない。すなわち、まばたき事象の前の屈折力がまばたき後に復元される。まばたきが引き起こす屈折力の変化は小さい。その理由は、短いまばたき中には有意な液体量の移送が行われないからである。全ての期間において液体５０は低速でのみ流される。すなわち、入力信号ｙ３（更にはｙ１）は低域通過フィルタ処理され、屈折力ｙ２の低速変化を引き起こす。
【０１５５】
あるいは、別の実施形態によると、レンズ１は、図１９に示されているモードＢで作動され得る。これは、能動的な瞼ポンプ、ならびにジッパ区域の受動的封止、を用いたレンズに相当する。ここで、受動的とは、例えば図２７〜図３２に示されている可撓性区域２０ａを、例えば機械的に、例えば指先で、押圧することによって、または図３５に示されているように双安定性要素の切り替えによって、圧送が行われることを意味する。
【０１５６】
ここで、Ｅ０における電圧ステップだけが屈折力の変化を引き起こすのはない。屈折力は、Ｅ２、Ｅ３、およびＥ４において徐々に増大する。Ｅ２、Ｅ３、およびＥ４においては、眼のまばたきの発生、電力線ｙ１への通電、制御線ｙ４の高レベル（ＬＨ）の３つの要因がいずれも真である。流体移送のためのエネルギーは、瞼の動きから、または別の機械式供給源（例えば、指先による押圧または眼の圧縮）から、抽出される。制御線を低（ＬＬ）に設定した後は、眼の何れのまばたきによっても屈折力は永久に変化されない。まばたきＥ２、Ｅ３、およびＥ４中の液体の移送は可能である。その理由は、制御信号が低レベルである期間中は液体の抵抗が相対的に低いからである。事象Ｅ５においては、液体の抵抗が相対的に高いので、有意な液体移送は不可能である。Ｅ５における液体の移送量は、Ｅ２、Ｅ３、Ｅ４より少ない。
【０１５７】
制御線ｙ４は必須ではない。制御線を有する場合、この制御線を低に設定することによって、屈折力を任意の値にいつでもフリーズできる。制御線が無い場合、液体の抵抗は永久に低い。屈折力は、何れのまばたき事象においても一時的に変化する。多数の個別アクチュエータセグメント（上記を参照）のうちの１つの完全ジッピングを選択する限り、液体の移送は永久的である。すなわち、逆流が生じないか、生じたとしても少ない。一セグメント（例えば、一対の電極。上記を参照）を完全に閉じた後、まばたきは屈折力の小さな一時的変動を引き起こすだけで、永久的な変化は引き起こさない。
【０１５８】
更に、代わりに、レンズ１はモードＣで作動され得る。モードＣは、調節弁または周波数制御部と組み合わされた能動的な瞼ポンプに相当する。ここで、同じ図がモードＢに関しても当てはまる。この場合、全ての期間中、ｙ２の低速減少（一定の負のスロープ）が生じる。
【０１５９】
逆流がゼロでない場合、液体の後方漏洩は、その後のまばたきによって打ち消される。すなわち、リフレッシュされる。連続する屈折力の状態は、平均的なまばたき間隔、液体の流入量、および液体の逆流量（流量の動的平衡）に応じて対処可能である。モードＢと異なり、屈折力は、眼のまばたき頻度を制御することによって（使用者による起動）、または液体の流動抵抗を変えることによって（流入流および／または流出流用の弁を調節することによって）、設定される。制御線ｙ４は必須ではないが、逆流量を減らすために、および／または流入量を増やすために、随意に使用可能である。
【０１６０】
更に図１４および図１５は、本発明によるコンタクトレンズ１を製造するためのそれぞれ異なる製造方法を示す。
【０１６１】
図１４および図１５に示されている原理の実施形態はどちらも、基部要素１０を設けるステップと、リング部材３０がその裏面２２に接続された透明な弾性変形可能な膜２０を設けるステップと、基部要素１０および膜２０に被覆（例えば、２００、１００）を施すステップと（図１４Ａ、図１４Ｂ、図１５Ａ、および図１５Ｂを参照）、基部要素１０を膜２０の裏面に接合してコンタクトレンズのレンズ容積およびリザーバ容積を形成するステップ（図１４Ｄおよび図１５Ｃを参照）と、前記レンズ容積４１および前記リザーバ容積４２に透明な液体５０を充填するステップ（図１４Ｅおよび図１５Ｂを参照）とを含む。
【０１６２】
ここで、図１４によると、前記充填（図１５Ｅおよび図１５Ｆを参照）は、前記接合の実施後に、浸透を用いて行われる。このために、接合前に、事前に規定された量の水溶性塩２２２が基部要素１０の上に配置される。したがって、接合後、前記塩２２２はレンズ容積４１内に配置される。その後、接合された基部要素１０と膜２０とは、透明な液体５０に浸漬される。この液体５０は、レンズ１の内側および外側の浸透圧が平衡状態になるまで、拡散によってレンズ容積４１およびリザーバ容積４２に入る（図１４Ｆを参照）。
【０１６３】
一代替案として、図１５によると、前記充填（図１５Ｂおよび図１５Ｃを参照）は、前記接合の前に行われる。この場合、前記液体は、膜２０によって形成された窪み５１に充填される。この窪み５１は、膜２０の前面２１に作用する真空Ｖを用いて形成され得る。その後、前記接合（図１５Ｃ）が行われる。前記接合後、レンズ容積４１および／またはリザーバ容積４２の内部からガスが除去される。これは、ガス抜きと称される（図１５Ｅを参照）。
【０１６４】
図２０は、瞼による作動を含む本発明によるレンズ１の一実施形態を示す。このために、レンズ１は、レンズ１の上半分に位置付けられた（下瞼による作動のために下半分にも載置可能な）、液体５０が充填されたリザーバ容積４２を備える。したがって、レンズ１が人間の眼の瞳の上に配置されているとき、レンズ１の屈折力を調整する膜２０の曲率調整可能区域２３の曲率を増大させるために、液体５０をリザーバ容積４２からレンズ容積４１に圧送するように、前記眼の瞼の動きの開始によってリザーバ容積４２を圧縮できる。
【０１６５】
図２０から分かるように、リザーバ容積４２は前記上半分に配置された２つの実際のリザーバ４２ａ、４２ｂを備え得る。リザーバ４２ａ、４２ｂは、レンズ１の上半分からレンズの下半分までレンズ容積４１の周囲に沿って延在する流路４３ａ、４３ｂを介してそれぞれ接続可能である。流路４３ａ、４３ｂは弁４３に接続され、液体は弁４３を介してレンズ１のレンズ容積４１に流入できる。
【０１６６】
弁４３は、電力線１１０ａを介して弁４３に接続されたエネルギー源１１０によって電力が供給され、更に、データ線を介して弁４３に接続されたセンサ８０によって制御され得る。例えば、センサ８０は、流路４３ａ、４３ｂから開いている弁４３を介してレンズ容積に液体５０を移送させた瞼の動きを検出し得る。センサ８０は、移送された液体５０をレンズ容積４１内に保持するように、弁４３を閉じるための出力信号を供給し得る。
【０１６７】
特に、弁４３は、液体５０の内部または外部への圧送を制御するための能動的または受動的な弁システムとすることができる。（弁の）動力源が必要とするエネルギーは、膜２０、２３によってレンズ１を微調整するために必要なエネルギーの１０００分の１、または１００分の１、または１０分の１、または少なくとも２分の１であることが好ましい。瞼による作動は、エネルギー消費を減らすために圧送システムを支援するためにも使用できる。
【０１６８】
更に、受動的な逆流防止弁の場合は、弁自体がセンサ素子を提供できる。弁のエネルギーは、瞼によって加圧されたリザーバから排出されることになる。
【０１６９】
弁４３は、（能動的な弁４３の場合）以下によって作動され得る。
・ジッピングアクチュエータ（例えば、本願明細書に記載のジッピングアクチュエータ７０）
・電気浸透作動（以下を参照）
・ＥＡＰ（電気的活性ポリマー）
・薄膜圧電素子
・電磁アクチュエータ
・形状記憶合金
・相変化材料
・熱機械またはバイメタルアクチュエータ、
・動電アクチュエータ、または
・弁の開閉用の別の磁石（例えば、外部磁石、特にレンズの外側に配置された外部磁石）によって動かされるように構成された磁石。
【０１７０】
更に、弁４３は、流量を増加または減少させるために、流路がアクチュエータによって締め付けられるように、または障害物の如何なる動きによっても断面が縮小または閉塞されるように、設計可能である。
【０１７１】
更に、図２０に示されている実施形態においては、能動的および受動的な弁システムが組み合わされ得る。
【０１７２】
例えば、ジッピング弁４３の場合、流路をジッパ装置によって能動的に、または純粋に受動的に、制御することもできる（各圧送サイクル後に断面を微調整または完全封止する）。
【０１７３】
更に、高速のまばたきパルスによって当該装置のジッピングを支援することもできる（摩擦および接着の問題を解消し易くする）。
【０１７４】
図２１は、図２２と共に、図２０に示されている実施形態の一改造例を示す。ここで、各リザーバ４２ａ、４２ｂは、それぞれ専用の弁４３０、４３１を備える。それぞれのリザーバ４２ａ、４２ｂは、それぞれの弁４３０、４３１を介して、それぞれ対応付けられた流路４３ａ、４３ｂに接続される。それぞれの弁４３０、４３１は、それぞれのリザーバ４２ａ、４２ｂの底部を形成する浸透膜４３０、４３１を備える。適した電圧がそれぞれの浸透膜４３０、４３１に印加されると、浸透膜４３０、４３１は開いて液体５０を通過させる。図２２に示されているように、それぞれの膜４３０、４３１は、基部要素１０によって形成された支持構造１０ａ上に載置され得る。支持構造１０ａは、それぞれの膜４３０、４３１を通過した液体５０をそれぞれの流路４３ａ、４３ｂに案内することもできる。
【０１７５】
このように、それぞれの浸透膜４３０、４３１は、瞼による加圧が可能な対応するリザーバ４２ａ、４２ｂの下に置かれている。更に、浸透膜４３０、４３１は、逆電気浸透作用を使用することによって、電流発生器として使用され得る。
【０１７６】
前述のように、レンズ１は、瞼の動きを検出するためのセンサ８０を更に備え得る。センサ８０は、データ線８０ａを介してエネルギー源１１０に接続される。エネルギー源１１０は、対応する電力線８０ａを介して、前記浸透膜４３０、４３１に電気的に接続される。センサ８０は、瞼の動きがセンサ８０によって検出されたときに出力信号を供給するように構成される、およびこの出力信号をエネルギー源１１０に供給するように構成されることが好ましい。これにより、エネルギー源１１０は、この出力信号に応じて前記電圧を制御する。
【０１７７】
図２３〜図２６は、本発明によるレンズ１の別の実施形態を示す。レンズ１は、レンズ１の総リザーバ容積４２を形成する２つのリザーバ４２ａ、４２ｂを備える。これらリザーバ４２ａ、４２ｂはそれぞれ、レンズ容積４１の周囲に沿って延在する流路を介して、レンズ１の下半分に配置された弁１６０に接続される。したがって、レンズ容積４１は、一方の周辺部にあるリザーバ４２ａ、４２ｂともう一方の周辺部にある弁１６０との間に配置される。レンズ容積は、レンズ整形器を形成するリング部材３０によって側方で画定される。膜２０はリング部材３０に取り付けられるので、レンズ容積４１を上から覆う膜２０の前記曲率調整可能区域２３が規定される。
【０１７８】
図２４によると、弁１６０は、各流路４３ａ、４３ｂ用の弁部材１６３ａ、１６３ｂを備える。前記２つの弁部材は、図２４に示されているように、それぞれ反対の流れ方向に開く（および閉じる）受動的弁部材である。弁１６０は、２つの状態を有するスイッチ１６１を更に備える。第１の状態では、流路４３ａが開き、流路４３ｂが閉じるので、液体５０は、弁部材１６３ａ、１６３ｂにより、リザーバ容積４２からレンズ容積４１に流入できるので、レンズ１の膜２０の区域２３の曲率を増大させることによってレンズ１の焦点距離を短くする。
【０１７９】
第２の状態では、流路４３ｂが開き、流路４３ａが閉じるので、弁部材１６３ａ、１６３ｂにより、液体５０はレンズ容積４１からリザーバ容積４２に流入できる。
【０１８０】
図２３〜図２６において、液体流５０は、図２５〜図２６に示されているように、使用者の瞼４によって作動される。レンズ１の焦点距離を短くするために、瞼の動きによって液体がリザーバ４２ａ、４２ｂからレンズ容積４１に、そのスイッチが第１の状態である弁１６０を介して、圧送される。液体５０のこの移送が完了すると（図２５の右側に示されているように瞼がリザーバ４２ａ、４２ｂを通り過ぎたとき）、図２４に示されている弁部材１６３ａにより、液体５０はレンズ容積から流出できない。
【０１８１】
レンズ１の焦点距離を長くするために液体５０をレンズ容積４１から圧送する必要がある場合は、図２６の右側に示されている瞼４の動きによって液体５０をレンズ容積４１から弁部材１６３ｂを介してリザーバ４２ａ、４２ｂに押し出せるように、スイッチ１６１は図２４に示されているその第２の状態に動かされる。
【０１８２】
スイッチ１６１の状態を変えるために、スイッチ１６１はアクチュエータによって作動可能であるが、手動でも作動され得る。
【０１８３】
更に、図２７は、本発明によるレンズ１の更に別の実施形態を示す。ここで、レンズ１は、リザーバ容積４２を備えたポンプ１５０を備える。ポンプ１５０は、リザーバ容積４２を覆う前記膜２０の領域２０ａをレンズの透明な液体５０が存在するリザーバ容積４２の一部を形成する、基部要素１０に形成された窪み４２ｃに引き込むことによってリザーバ容積４２を空にするように構成される。
【０１８４】
図２７に示されているように、窪み４２ｃは凹状の形状を備え得るが、図２８の実施形態に示されているように円錐状の形状も備え得る。
【０１８５】
ポンプ１５０は、膜２０の前記領域２０ａを窪み４２ｃに引き込むための静電力を発生させるように構成されることが好ましい。前記力を発生させるために、膜２０の前記領域２０ａは可撓性の、特に伸張可能な、導電電極２０ｂ（図３２を参照）を形成し、基部要素１０は対応する対向電極１０ｂを少なくとも１つ形成する（図３２を参照）。
【０１８６】
図２７および図２８に更に示されているように、レンズの窪み４２ｃ／リザーバ４２は、流路４２ｄを介してレンズ容積４１（両図には図示せず）に接続される。流路４２ｄは、基部要素１０の溝によって形成され得る。前記窪み４２ｃからの排液を行うために、流路４２ｄはリザーバ容積４２の前記窪み４２ｃの底部４２ｆの最も低い区域４２ｅに達することが好ましい。前記溝／流路４２ｄは、膜２０の前記領域２０ａが前記電極１０ｂ、２０ｂ（１０ｃ、以下を参照）によって窪み４２ｃに引き込まれたときに自動的に封止されるように構成される。
【０１８７】
引き込まれた領域２０ａによって前記溝／流路４２ｄが封止されると、溝／流路４２ｄとリザーバ容積４２とが相交わる箇所４２ｇにおいてリザーバ容積４２／窪み４２ｃへの液体５０の再流入が阻止される。この相交わる箇所４２ｇは封止ラインとも称され、図２７および図２８に示されている。図２７の流路４２ｄの断面は湾曲しているが、図２８では矩形であり、封止ライン４２ｇのそれぞれ異なる形状寸法をもたらすことに注目されたい。
【０１８８】
更に、ポンプ１５０は、一方では、膜２０の電極２０ｂを使用して、他方では、前記対向電極１０ｂ、および／または窪み４２ｃの底部４２ｆの中心に配置されて図３２に示されているように前記対向電極１０ｂによって囲まれた中心電極１０ｃを使用して、膜２０の前記領域２０ａをリザーバ容積４２の前記窪み４２ｃの底部４２ｆの区域４２ｅ（この区域４２ｅは封止区域とも称される）に押さえ付けることによって、流路４２ｄをその封止または閉鎖状態に維持するように構成される（図３２は、下記の弁１６０と流路１６０ｄとの組み合わせを実際に示しているが、図２７および図２８に示されている弁とポンプ１５０との組み合わせにも当てはまる）。
【０１８９】
膜２０を窪み４２ｃ／リザーバ容積４２の底部４２ｆに押さえ付けた後、活性電極面積および電力を小さくすることができる。前記電極１０ｂ、２０ｂ、１０ｃに印加された電圧に応じて、封止された流路４２ｄは、特定の背圧で開き、液体の逆流およびリザーバ容積４２の再充填を開始させるように構成される。
【０１９０】
図２９は、本発明によるレンズ１の更に別の実施形態を示す。ここで、レンズ１は、リザーバ容積４２とレンズ容積４１（図示せず）との間の流体接続をもたらす流路１６０ｄを備える。レンズ１は、前記流路１６０ｄを開閉するための弁１６０を備える。前記流路１６０ｄは、基部要素１０に形成された弁１６０の（調整可能な容積を形成する）窪み１６０ｃを通って延在する。窪み１６０ｃは、前記膜２０の一領域２０ａによって覆われる。弁１６０は、前記流路１６０ｄを開くように構成される、または窪み１６０ｃを覆う前記膜２０の領域２０ａを窪み１６０ｃに引き込むことによって前記流路１６０ｄを閉塞するように構成される。
【０１９１】
ここでも、弁１６０は、弁１６０／流路１６０ｄを閉じるために、膜２０の前記領域２０ａを弁１６０の窪み１６０ｃに引き込むための静電力を発生させるように構成される。前記力を発生させるために、膜２０の前記領域２０ａは、可撓性の、特に伸張可能な、導電電極２０ｂを形成し、基部要素１０は対応する対向電極１０ｂを少なくとも１つ形成する。
【０１９２】
ここで、流路１６０ｄは、膜２０の前記領域２０ａが弁１６０の窪み１６０ｃに引き込まれたときに自動的に閉塞されるように構成される。前記流路１６０ｄが閉塞されると、弁１６０の窪み１６０ｃへの液体５０の再流入および窪み１６０ｃの通過が流路１６０ｄと窪み１６０ｃとが相交わる複数の箇所１６０ｇで阻止される。これら相交わる箇所は、封止ラインとも称され、図２９〜図３１に示されている。
【０１９３】
弁１６０は、一方では、膜２０の電極２０ｂを使用して、前記対向電極１０ｂ、および／または窪み１６０ｃの底部１６０ｆの中心に配置されて前記対向電極１０ｂによって囲まれた中心電極１０ｃ、を使用して、膜２０の前記領域２０ａを弁１６０の前記窪み１６０ｃの底部１６０ｆの区域１６０ｅ（この区域は封止区域とも称される）に押さえ付けることによって、流路１６０ｄをその閉塞状態に維持するように構成されることが好ましい（図３２を参照）。
【０１９４】
この場合も、膜２０を窪み１６０ｃ／リザーバ容積４２の底部１６０ｆに押さえ付けた後、活性電極面積および電力を減らすことができる。
【０１９５】
ここでも、印加された電力に応じて、弁１６０は、特定の圧力で開き、リザーバ容積４２とレンズ容積４１との間の液体５０の通過を可能にするように構成される。
【０１９６】
図３０〜図３１は、図２９に示されている実施形態の改造例を示す。図３０および図３１では、流路１６０ｄの形状（断面）が異なり、改造された封止ライン１６０ｇをもたらす。
【０１９７】
図３２は、図２９〜図３１に示されている流路および弁の場合の電極１０ｂ、２０ｂ、１０ｃの動作を示す（ただしこの動作は、図２７および図２８のポンプ１５０の作動にも適用可能である）。
【０１９８】
図３２Ａ、図３２Ｂ、および図３２Ｃによると、弁（すなわち、流路１６０ｄ）をその閉鎖／封止状態に維持するには、膜２０の領域２０ａをリザーバ底部４２ｆの小さな区域４２ｅに押さえ付ければ十分である（図３２Ａ、１０ｃ）。ここで、中心電極１０ｃを電極１０ｂ、２０ｂから電気的に絶縁し、個々に対処することも可能である。
【０１９９】
膜２０の領域２０ａを最大偏向状態に偏向した後、領域２０ａは基部要素１０に接触するので、アイドル期間中の静電力を節約するために印加電圧を減らすことができる（図３２Ｂでの節約）。
【０２００】
電極１０ｃに対する電力の起動後（図３２Ｃ）、電極１０ｂ、２０ｂに対する電圧を減らす、または完全に除去する、ことができる。これは、静電力の消費削減を助ける。
【０２０１】
漏洩電流および動作電圧を最適化するために、電極１０ｂ、２０ｂ、１０ｃをそれぞれ異なる材料およびそれぞれ異なる厚さで構成し得る。一方では、静電力の消費を最小化するために、小面積の電極１０ｃを肉薄（例えば、０．１〜１０マイクロメートル）または超肉薄（例えば、１００ナノメートル未満）、高誘電率、高い絶縁耐力、例えば非可撓性の、無機誘電材料（例えば、Ａｌ２Ｏ３）で覆うこともできる。他方では、大面積の電極１０ｂおよび２０ｂを肉薄（例えば、０．５〜５マイクロメートル）または超肉薄（例えば、０．５マイクロメートル未満）、低誘電率、高い絶縁耐力、可撓性の無機誘電体（例えば、パリレンまたはＰＤＭＳ系）で覆うこともできる。
【０２０２】
更に、電極１０ｂ、２０ｂは、局所的静電容量が中心に向かって増えるように、誘電感受率および／または誘電体の厚さに半径方向の勾配を設けて製作することもできる。これにより、所与の電圧および漏洩電流において、より大きな最大偏向を実現できる。
【０２０３】
図３３は、図２９〜図３１に示されている流路および弁の場合の電極１０ｂ、２０ｂ、１０ｃの動作の別の例を示す（ただし、この動作は、図２７および図２８のポンプ１５０の作動にも適用可能である）。
【０２０４】
ここで、間隙１０ｆによって中心電極１０から隔てられた追加の封止ライン電極１０ｄ、１０ｅが使用され得る。
【０２０５】
この場合も、弁１６０（またはポンプ１５０）をその閉状態に維持するには、膜２０の小面積１６０ｇおよび／または１６０ｅを押さえ付ければ十分である（図３３Ｂを参照）。電極１０ｃ、１０ｄ、または１０ｅは、電極１０ｂ、２０ｂから、および互いに、電気的に絶縁可能であり、更には個別に対処可能である。
【０２０６】
弁１６０を封止するには、封止ライン１６０ｇに続く膜２０の小面積を押さえ付ければ十分である。電極１０ｂ、２０ｂ、１０ｃ、１０ｄ、１０ｅは、側方間隙１０ｆによって互いに絶縁されると理想的である。
【０２０７】
漏洩電流および動作電圧を最適化するために、前記電極１０ｂ、２０ｂ、１０ｃ、１０ｄ、１０ｅはそれぞれ異なる材料およびそれぞれ異なる厚さで構成され得る。一方では、静電力の消費を最小化するために、小面積の電極１０ｃ、１０ｄ、１０ｅを超肉薄（＜１マイクロメートル）、高誘電率、高い絶縁耐力、ひいては非可撓性の、無機誘電材料（例えば、Ａｌ２０３）で覆うことができる。他方では、大面積の電極１０ｂおよび２０ｂを肉薄（１〜２マイクロメートル）、低誘電率、高い絶縁耐力、可撓性の無機誘電体（例えば、パリレンまたはＰＤＭＳ系）で覆うこともできる。
【０２０８】
電極１０ｂ、２０ｂは、局所的静電容量が中心に向かって増えるように、誘電感受率および／または誘電厚を半径方向に勾配させて製作され得る。これにより、所与の電圧および漏洩電流において、より大きな最大偏向を実現できる。
【０２０９】
更に、図３４に示されているように、前記電極１０ｃ、１０ｂ、２０ｂ、特に１０ｄおよび１０ｅ、の一代替案として、形状記憶合金（例えば、ニチノールなど）製の部材４４を使って本願明細書に記載のポンプ１５０または弁１６０を作動させ得る。部材４４は、膜２０の前記領域２０ａに結合され得る。部材４４は、図３４の左側に示されている扁平な第１の状態を有する。電流による前記部材４４の加熱により、部材４４は、図３４の右側に示されている、その拡張状態に変化する。この状態において、部材４４は膜の前記領域２０ａをポンプ１５０または弁１６０の窪み４２ｃ、１６０ｃに移動させる（例えば、押し込む、または引き込む）。
【０２１０】
特に、前記部材は、細長い湾曲したアーム４４ｂを介して中心板４４ｃに一体に接続された周方向（例えば、環状）の枠４４ａを備え得る。拡張状態において、アーム４４ｂは下方に拡張するので、板４４ｃは、膜２０の前記領域２０ａを窪み４２ｃ、１６０ｃに移動させてリザーバ／弁を封止する。
【０２１１】
更に、図３５に示されているように、双安定膜領域２０ａを有するリザーバポンプ機構を備えた本発明によるレンズの一実施形態が開示される。
【０２１２】
特に、リザーバ容積４２は、レンズ１の膜２０の双安定領域２０ａによって覆われる。前記領域２０ａは、基部要素１０に対して、第１の安定状態から第２の安定状態に、およびこの逆に、移動可能である。第１の状態において、リザーバ容積４２は第２の状態より大きい。前記領域２０ａが第１の状態から第２の状態に移動されると、液体５０がリザーバ容積４２からレンズ容積４１に流入する。領域２０ａが第２の状態から第１の状態に移動されると、液体はレンズ容積４１からリザーバ容積４２に流入する。
【０２１３】
レンズ１は、領域２０ａの状態が変化したときに、それに応じて流体５０をレンズ容積４１からリザーバ容積４２に、およびこの逆に、流入させるために、リザーバ容積４２をレンズ容積４１に接続する流路４３を更に備える。
【０２１４】
図３５に示されているように、リザーバ容積４２は円形の形状を備え得るが、レンズ容積４１の周囲に延在するリングの形状も備え得る。
【０２１５】
膜２０の前記部分２０ａは、金属製、またはポリマー製、またはエラストマー製にすることも、または少なくとも２つの材料から成る異種混交構造にすることもできる。例えば、シリコーンに埋め込まれたカプトン製ディスクである。
【０２１６】
本発明によるレンズの使用は、極めて融通性があり、ビジョンシステム、眼科用レンズ（コンタクトレンズおよび眼内レンズ）、フォロプタ、屈折計、眼底カメラ、ｐｐｔ．生体認証、視野計、屈折計、眼圧計、アノマロスコープ、諧調計、内皮顕微鏡、アノマロスコープ、ビノプトメータ、ＯＣＴ、ロダテスト、検眼鏡、ＲＴＡ、細隙灯顕微鏡、外科用顕微鏡、オートレフラクトメータ、ケラトグラフ、共焦点撮像装置、シャイムプルークカメラ、波面収差計、瞳孔計、皮膚レーザ、眼レーザ、耳鏡、喉頭鏡、ラマン分光装置、携帯分光装置、光線力学的診断などの眼科設備、ならびに照明装置、照明器具、マシンビジョン用装置、レーザ加工装置、ライトショーを行うための装置、プリンタ、計測装置、（例えば、頭部装着型）眼鏡、医療機器、ロボットカメラ、運動追跡装置、顕微鏡、望遠鏡、内視鏡、双眼鏡、監視カメラ、車載装置、プロジェクタ、光学視差式距離計、バーコード読取装置、およびウェブカメラ、ファイバ結合、生体測定装置、電子拡大鏡、運動追跡、眼内レンズ、携帯電話、軍隊、デジタルスチルカメラ、ウェブカメラ、顕微鏡、望遠鏡、内視鏡、双眼鏡、研究調査、工業用途などの装置を更に含むが、これだけに限定されるものではない。
【０２１７】
本発明の現時点において好適な実施形態が図示および説明されているが、本発明はこれらに限定されず、添付の特許請求の範囲内において別様にさまざまに具体化および実施され得ることをはっきりと理解されたい。
【図１Ａ】
2018518700.tif 000003
【図１Ｂ】
2018518700.tif 000004
【図２Ａ】
2018518700.tif 000005
【図２Ｂ】
2018518700.tif 000006
【図２Ｃ】
2018518700.tif 000007
【図２Ｄ】
2018518700.tif 000008
【図２Ｅ】
2018518700.tif 000009
【図３Ａ】
2018518700.tif 000010
【図３Ｂ】
2018518700.tif 000011
【図３Ｃ】
2018518700.tif 000012
【図４】
2018518700.tif 000013
【図５】
2018518700.tif 000014
【図６】
2018518700.tif 000015
【図７】
2018518700.tif 000016
【図８】
2018518700.tif 000017
【図９】
2018518700.tif 000018
【図１０】
2018518700.tif 000019
【図１１】
2018518700.tif 000020
【図１２】
2018518700.tif 000021
【図１３】
2018518700.tif 000022
【図１４Ａ】
2018518700.tif 000023
【図１４Ｂ】
2018518700.tif 000024
【図１４Ｃ】
2018518700.tif 000025
【図１４Ｄ】
2018518700.tif 000026
【図１４Ｅ】
2018518700.tif 000027
【図１４Ｆ】
2018518700.tif 000028
【図１５Ａ】
2018518700.tif 000029
【図１５Ｂ】
2018518700.tif 000030
【図１５Ｃ】
2018518700.tif 000031
【図１５Ｄ】
2018518700.tif 000032
【図１５Ｅ】
2018518700.tif 000033
【図１６Ａ】
2018518700.tif 000034
【図１６Ｂ】
2018518700.tif 000035
【図１７Ａ】
2018518700.tif 000036
【図１７Ｂ】
2018518700.tif 000037
【図１８Ａ】
2018518700.tif 000038
【図１８Ｂ】
2018518700.tif 000039
【図１９】
2018518700.tif 000040
【図２０】
2018518700.tif 000041
【図２１】
2018518700.tif 000042
【図２２】
2018518700.tif 000043
【図２３】
2018518700.tif 000044
【図２４】
2018518700.tif 000045
【図２５】
2018518700.tif 000046
【図２６】
2018518700.tif 000047
【図２７】
2018518700.tif 000048
【図２８】
2018518700.tif 000049
【図２９】
2018518700.tif 000050
【図３０】
2018518700.tif 000051
【図３１】
2018518700.tif 000052
【図３２】
2018518700.tif 000053
【図３３】
2018518700.tif 000054
【図３４】
2018518700.tif 000055
【図３５】
2018518700.tif 000056
【国際調査報告】
2018518700.tif 000057
2018518700.tif 000058
2018518700.tif 000059
2018518700.tif 000060
2018518700.tif 000061
2018518700.tif 000062
2018518700.tif 000063